(57)【要約】【課題】ＣＦなしで無電圧時に白、中間電圧で赤、青、緑の発色を行う。【解決手段】人２０が視認する側から順に、吸収軸１８を有する偏光板１、位相差板３、液晶層６、反射層８が備えられ、吸収軸１８、第１の配向方向１４および第２の配向方向１５、第１の光学異方軸１６および第２の光学異方軸１７を所定の交差角θ1 、θ2 、θ3 、θ4 に設定し、選択された３値以上の電圧値がマルチプレックスされ駆動回路１０から液晶層６に電圧が印加されることを特徴とする反射型カラー液晶表示装置。【効果】高デューティ駆動であっても多色表示ができる。【選択図】図１
2004287460.tif 000002
【特許請求の範囲】
【請求項１】
吸収軸を有する１枚の偏光板と、位相差板と、第１の液晶層と、反射層と、第１の液晶層に印加される駆動電圧を供給する駆動回路とが設けられ、偏光板と反射層との間に第１の液晶層および位相差板が配置され、
第１の液晶層は旋光性物質を含有した正の誘電異方性のネマチック液晶を有し、第１の液晶層の第１の面側の第１の配向方向から第２の面側の第２の配向方向に対してねじれ角θ1 が設けられ、
位相差板は偏光板側に位置する第１の面における光学異方軸のうちの第１の遅相軸から反対側の第２の面における光学異方軸のうちの第２の遅相軸の方向におけるねじれ角θ2 を有し、
第１の液晶層の屈折率異方性Δｎ1 と第１の液晶層の厚みｄ1 との積Δｎ1 ・ｄ1 が０．３０〜２．００μｍとされ、位相差板の屈折率異方性Δｎ2 と位相差板の厚みｄ2 との積Δｎ2 ・ｄ2 が０．３０〜２．００μｍとされ、
第１の液晶層の第１の配向方向から位相差板の第２の遅相軸に対して角度θ3 が設けられ、位相差板の第１の遅相軸から偏光板の吸収軸とがなす角度θ4 が設けられ、
角度θ1 、θ2 、θ3 、およびθ4 は時計回り方向（＋）または反時計回り方向（−）で、｛角度θ1 は−１６０〜−３００°、角度θ2 は＋１６０〜＋３００°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１６０〜＋３００°、角度θ2 は−１６０〜−３００°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、
３値以上の電圧値が選択されて第１の液晶層に駆動電圧が印加されることを特徴とする反射型カラー液晶表示装置。
【請求項２】
｜角度θ1 ｜は２３０〜２５０°、｜角度θ2 ｜は２３０〜２５０°、０．８≦Δｎ1 ・ｄ1 ≦１．５、およびΔｎ1 ・ｄ1 −０．１５≦Δｎ2 ・ｄ2 ≦Δｎ1 ・ｄ1 ＋０．１５とされたことを特徴とする請求項１の反射型カラー液晶表示装置。
【請求項３】
｛角度θ1 は−２３０〜−２５０°、角度θ2 は＋２３０〜＋２５０°、角度θ3 は（＋９０°＋［−１０°〜＋１０°］）、角度θ4 は（＋４５°＋［−２０°〜−１０°］）もしくは（＋１３５°＋［−２０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋２０°〜＋１０°］）もしくは（−１３５°＋［＋２０°〜＋１０°］）｝とされ、１．２５≦Δｎ1 ・ｄ1 ≦１．３５、および１．２５≦Δｎ2 ・ｄ2 ≦１．３５とされてなることを特徴とする請求項１の反射型カラー液晶表示装置。
【請求項４】
｛角度θ1 は−２３０〜−２５０°、角度θ2 は＋２３０〜＋２５０°、角度θ3 は（＋９０°＋［＋１０°〜＋３０°］）、角度θ4 は（＋４５°＋［＋５°〜＋２５°］）もしくは（＋１３５°＋［＋５°〜＋２５°］）｝または、｛角度θ1 は＋２３０〜＋２５０°、角度θ2 は−２３０〜−２５０°、角度θ3 は（−９０°＋［−１０°〜−３０°］）、角度θ4 は（−４５°＋［−５°〜−２５°］）もしくは（−１３５°＋［−５°〜−２５°］）｝とされ、０．８０≦Δｎ1 ・ｄ1 ≦０．９０、および０．８０≦Δｎ2 ・ｄ2 ≦０．９０とされてなることを特徴とする請求項１の反射型カラー液晶表示装置。
【請求項５】
｛角度θ1 は−２３０〜−２５０°、角度θ2 は＋２３０〜＋２５０°、角度θ3 は（＋９０°＋［−１０°〜＋１０°］）、角度θ4 は（＋４５°＋［−３０°〜−１０°］）もしくは（＋１３５°＋［−３０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋３０°〜＋１０°］）もしくは（−１３５°＋［＋３０°〜＋１０°］）｝とされ、１．２０≦Δｎ1 ・ｄ1 ≦１．３０、および１．３０≦Δｎ2 ・ｄ2 ≦１．４０とされてなることを特徴とする請求項１の反射型カラー液晶表示装置。
【請求項６】
｛角度θ1 は−２３０〜−２５０°、角度θ2 は＋２３０〜＋２５０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋２３０〜＋２５０°、角度θ2 は−２３０〜−２５０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、１．２０≦Δｎ1 ・ｄ1 ≦１．５０、および０．７０≦Δｎ2 ・ｄ2 ≦０．９０とされてなることを特徴とする請求項１の反射型カラー液晶表示装置。
【請求項７】
｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．３０≦Δｎ1 ・ｄ1 ≦２．００、および０．３０≦Δｎ2 ・ｄ2 ≦２．００とされてなることを特徴とする請求項１の反射型カラー液晶表示装置。
【請求項８】
｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．９０≦Δｎ1 ・ｄ1 ≦１．３０、およびΔｎ1 ・ｄ1 −０．１５≦Δｎ2 ・ｄ2 ≦Δｎ1 ・ｄ1 ＋０．１５とされてなることを特徴とする請求項１の反射型カラー液晶表示装置。
【請求項９】
｛角度θ1 は−１７０〜−１９０°、角度θ2 は＋１７０〜＋１９０°、角度θ3 は（＋９０°＋［＋１０°〜＋３０°］）、角度θ4 は（＋４５°＋［−２０°〜＋２０°］）もしくは（＋１３５°＋［−２０°〜＋２０°］）｝または、｛角度θ1 は＋１７０〜＋１９０°、角度θ2 は−１７０〜−１９０°、角度θ3 は（−９０°＋［−１０°〜−３０°］）、角度θ4 は（−４５°＋［＋２０°〜−２０°］）もしくは（−１３５°＋［＋２０°〜−２０°］）｝とされ、０．７５≦Δｎ1 ・ｄ1 ≦１．０５、および０．７５≦Δｎ2 ・ｄ2 ≦１．０５とされてなることを特徴とする請求項１の反射型カラー液晶表示装置。
【請求項１０】
（１０°）2 ≦（｜θ3 ｜−９０°）2 ＋（｜θ4 ｜−  ４５°）2 、かつ（１０°）2 ≦（｜θ3 ｜−９０°）2 ＋（｜θ4 ｜−１３５°）2 の関係が満たされることを特徴とする請求項１〜９のいずれか１項の反射型カラー液晶表示装置。
【発明の詳細な説明】
【技術分野】
【０００１】
本発明は、偏光板を備えた液晶表示素子を用いて無彩色表示を行い、かつ赤、青、および緑の各カラー表示が可能な反射型カラー液晶表示装置に関する。特に、偏光板を１枚としたものである。
【背景技術】
【０００２】
従来、両電極間の液晶分子のツイスト角を大きくして、鋭い電圧−透過率変化を起こし、高密度のドットマトリックス表示をする方法として、非特許文献１に記載されたスーパーツイスト素子が知られていた。
【０００３】
しかし、この方法は特許文献１によると、用いる液晶表示素子の液晶の複屈折率Δｎと液晶層の厚みｄとの積Δｎ・ｄの値が実質的に０．８〜１．２μｍの間に設けられていた。そして、表示色としては黄緑色と暗青色、青紫色と淡黄色など、特定の色相の組み合わせでのみ良好なコントラストが得られていた。このように、このＳＴＮ液晶表示素子では白黒表示ができないことが欠点であった。
【０００４】
そこで、非特許文献２において、白黒表示が可能でかつコントラストの高い液晶表示装置として、互いに逆螺旋の液晶セルを２層積層し、一方のセルにのみ電圧を印加し、他方の液晶セルを単なる光学的な補償板として使用する方法が提案された。
【０００５】
また、液晶層と偏光板の間に複屈折板を配置することにより、白黒表示を可能にする方法も提案された。従来、パーソナルコンピュータなどのＯＡ機器に用いられるカラー液晶表示装置は、前述した白黒表示が可能な液晶表示装置とカラーフィルタとが組み合わされて実用化されている。
【０００６】
ところがカラーフィルタは高価であり、かつ赤、青、緑の３画素で表示をするために光利用効率が著しく低い。例えば、白を表示するために、赤、青、緑の３画素をオン状態にしたとしても明るさは１／３となってしまうため、暗い表示しかできない。したがって、カラーフィルタを用いない明るいカラー表示装置としていくつかの手法が提案された。
【０００７】
例えば、複屈折制御（ＥＣＢ）効果型の液晶表示装置がある。この液晶表示素子は、階調電圧（例えば８階調の電圧）を画素に印加すると、印加された階調電圧に応じて液晶分子の配向が変化し、これにともなって液晶セルのΔｎ・ｄが変化する。そして、複屈折にともなう様々な色相変化を用いて発色を得る。
【０００８】
しかし、このＥＣＢ効果型の液晶表示装置は、液晶がツイストされていないため、印加電圧に応じた液晶の状態変化が小さくなり、マルチプレックス駆動ができないという問題があった。
【０００９】
特許文献２には、ツイストした液晶セルにおいて印加電圧を変化させることにより様々な色相変化が可能であることが示されている。しかし、この特許文献２の場合は、その発色は黄、赤、紫、青紫、青緑、緑であり、無彩色である黒または白を表示することはできないという課題を残している。なぜならば、黒または白の表示が欠けた表示手法の視認性は大きく低下することが一般に知られているからである。
【００１０】
表示において、視認すべくデータ部に対して、背景部分は面積的に広い部分を通常占めている。その部分に背景色として、例えば黄色または緑色の表示を用いると全体的に落ち着きのある表示を得ることが難しくなる。そのため、グラフを表示するとき等、背景色の色は白または黒の無彩色が選ばれることが多い。
【００１１】
表示の基本は紙に記した文字のように、白地の上に黒の線図の表現が基本的である。この形態が通常求められている。本来、白と黒とを表示し、さらに青または緑または赤が表示できることが好ましい。したがって、白または黒の表示が得られない表示装置は視認性に大きく欠けることになる。
【００１２】
また、この特許文献２では、補償セルを用いて２層にすることにより白黒表示が可能であることが示されている。しかし、色を出すときに補償セルに電圧を印加し、補償セルが光学的に存在しないような状態におくことによって発色を達成している。よって、マルチプレックス駆動を行ったとき、白または黒と、青や緑などの色を混在させることができないという問題がある。
【００１３】
特許文献３では、補償セル側にも画素を形成し、表示を行う。この２層液晶セルの各表示を組み合わせてマルチプレックス駆動を行ったとき、白または黒と、青や緑などの色を混在させうるとしている。しかし、２層の液晶セルは両者の各画素を１画素ずつ対応させて形成しなければならない。これは製造が困難になることと、斜めから見た場合の視差が生じて色がにじんで見えてしまうという欠点がある。
【００１４】
これでは実用に供することのできる表示品質がなかなか得られない。また、２層であるために重いという欠点もあり、液晶セルのギャップを制御することが難しく、歩留がさらに低下することなどの欠点が生ずる。
【００１５】
特許文献４には、位相差板を用いることにより色を改善できると示されている。しかし、無彩色（白または黒）を出すことまでは開示されていない。
【００１６】
特許文献５の実施例では、青、緑、白、赤の表示が可能であると示されている。しかし、印加電圧が低いときには青の表示色となり、印加電圧を大きくしたときに白が発色するようになっている。そのため、格子状のマトリックス駆動を行った場合、駆動電極の線間が青色であると、画素が白でも、全体的に青い表示となってしまい、色純度の良い白を発色させることが難しいという問題が起こる。
【００１７】
つまり、上述したように、液晶表示素子のマトリックス表示の線間は無彩色であることが好ましい。そして、電圧が印加されていないときに、ほぼ無彩色であることが望ましい。また、中間調の電圧で無彩色を出すようにすると、中間電圧での液晶状態は電圧の僅かな変化に対しても急峻な変化をするような状態なので、全体の無彩色表示を行うときに、僅かな電圧変動に対して発色が変化してしまい、綺麗な無彩色表示ができない。
【００１８】
これは、中間電圧である色を全体に表示するときにも同様なことがいえる。しかし、一般に背景色には無彩色が用いられることが多く、無彩色は大きな面積を占めることとなる。この大きな面積を占める色が色むらを起こすと表示としての美しさが大きく低下する。均一な色を出すには無彩色が中間電圧で発色されることを回避することが望ましい。
【００１９】
以上のような課題を考慮すると、電圧が印加されていないとき、またはマルチプレックス駆動を行ったときのオフ波形（非選択波形）の際に無彩色の表示が得られることが好ましい。
【００２０】
また、特許文献５の実施例５では、白、青、緑の表示が可能であることが示されている。しかし、白を発色する印加電圧が０．２Ｖ以下であり、青を発色する印加電圧が１．３〜２．２Ｖであり、緑を発色する印加電圧が３．０Ｖ以上である。これは明らかにマルチプレックス駆動（時分割駆動）が困難な素子設計となっている。このような駆動電圧は特定した用途にしか用いることが難しくなる。
【００２１】
特許文献６の実施例６では、０．９Ｖまたは１．６Ｖ以下において白表示が可能であると示されている。しかし、これも緑や赤や青の表示を行う場合、マルチプレックス駆動したときにデユーティ比を大きくすることができない。
【００２２】
特許文献７の実施例では、オフ波形で白表示できると示されている。しかし、この特許文献７では赤の表示が得られてはいない。以上は偏光板がセルの両面にある場合の公知例を示した。よって、上述した公知例では、どれも光の透過率が低く暗いことになる。さらに、反射型モードとして用いると反射層で損失する分だけ光量が低くなって、もっと暗い表示となる。
【００２３】
特許文献８の実施例では、偏光板を１枚のみ用いて、カラー表示を可能としている。その実施例において、電圧無印加時は白色、その後電圧を大きくするにしたがい、白→黄→青→黄→青→緑と変化することが示されている。しかし、電圧が低い時に（白からすぐに黄色や青に変化した電圧の時）、純度の良い発色を得られず、電圧を大きくすることにより純度の良い発色が得られていることを示している。
【００２４】
また、特許文献８では赤の発色が得られていない。また、電圧の低いとき純度の良い発色を得られないことから、マルチプレックス駆動に適しないなどの問題がある。
【００２５】
この特許文献８に用いられている構成は、色制御用液晶セルのツイスト角とΔｎ・ｄは、表示用液晶セルのツイスト角とΔｎ・ｄにほぼ同等とする。色制御用液晶セルのツイスト方向は、表示用液晶セルのツイスト方向と逆である。また、表示用液晶セルと、色制御用液晶セルの互いに近接する表面の液晶分子の配向方向の交差角がほぼ９０°とする。さらに、偏光板の偏光軸は、近接される液晶分子の配向方向と、ほぼ４５°±５°の交差角とするとよいと述べられている。
【００２６】
また、特許文献９においては、補償セルをねじれ位相差板にすることが記載されている。しかし、その構成は特許文献８と基本的に同じであり、発色にまだ問題がある。
【００２７】
【特許文献１】特開昭６０−１０７２０号公報
【特許文献２】特開平２−１１８５１６号公報
【特許文献３】特開平２−１８３２２０号公報
【特許文献４】特開平６−１７５１２５号公報
【特許文献５】特開平６−３０１００６号公報
【特許文献６】特開平６−３０１０２６号公報
【特許文献７】特開平６−３３７３９７号公報
【特許文献８】特開平６−３０８４８３号公報
【特許文献９】特開平７−５４５７号公報
【非特許文献１】T.J.Scheffer and J.Nehring, Appl.Phys.Lett.45(10)1021−1023(1984)
【非特許文献２】奥村ほか、テレビジョン学会技術報告、11(27)79(1987)
【発明の開示】
【発明が解決しようとする課題】
【００２８】
本発明は上記内容を鑑みて、その目的とするところは、カラーフィルタを用いずに、マルチプレックス駆動が可能で、非選択波形のときに明るい白表示が可能で、選択波形または選択波形と非選択波形の中間の電圧を印加したときに、青または緑または赤の発色が可能とすることである。
【００２９】
言い換えれば、電圧を印加されないとき、または電圧が低いときに、非常に明るいほぼ無彩色表示ができ、かつ電圧を印加して明るいカラー表示を実現できる明るい反射型カラー液晶表示装置を提供することである。
【課題を解決するための手段】
【００３０】
本発明の基本的な構成は、吸収軸を有する１枚の偏光板と反射層との間に、両面に光学異方軸を有し、一方から他方の光学異方軸に対して光学異方軸が回転せしめられてなる１枚の位相差板と、両面に備えられた配向方向によってねじれ角が設定された１つの液晶層とが設けられ、位相差板と液晶層との位置は交互に交換可能であって、光は偏光板を通り、位相差板から液晶層、または液晶層から位相差板を通過し、反射層によって反射せしめられ、逆方向に進行して偏光板から出射せしめられる。
【００３１】
この際に、液晶層に印加される駆動電圧の実効的な３値以上の電圧値によって、無彩色を含むカラー表示が得られるように設けられる。
【００３２】
角度の表記として、＋方向は時計回りを、−方向は反時計回りを示すこととする。本発明の角度関係を図１、図４などに示す。
【００３３】
請求項１の発明は、吸収軸を有する１枚の偏光板と、位相差板と、第１の液晶層と、反射層と、第１の液晶層に印加される駆動電圧を供給する駆動回路とが設けられ、偏光板と反射層との間に第１の液晶層および位相差板が配置され、
第１の液晶層は旋光性物質を含有した正の誘電異方性のネマチック液晶を有し、第１の液晶層の第１の面側の第１の配向方向から第２の面側の第２の配向方向に対してねじれ角θ1 が設けられ、
位相差板は偏光板側に位置する第１の面における光学異方軸のうちの第１の遅相軸から反対側の第２の面における光学異方軸のうちの第２の遅相軸の方向におけるねじれ角θ2 を有し、
第１の液晶層の屈折率異方性Δｎ1 と第１の液晶層の厚みｄ1 との積Δｎ1 ・ｄ1 が０．３０〜２．００μｍとされ、位相差板の屈折率異方性Δｎ2 と位相差板の厚みｄ2 との積Δｎ2 ・ｄ2 が０．３０〜２．００μｍとされ、
第１の液晶層の第１の配向方向から位相差板の第２の遅相軸に対して角度θ3 が設けられ、位相差板の第１の遅相軸から偏光板の吸収軸とがなす角度θ4 が設けられ、
角度θ1 、θ2 、θ3 、およびθ4 は時計回り方向（＋）または反時計回り方向（−）で、｛角度θ1 は−１６０〜−３００°、角度θ2 は＋１６０〜＋３００°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１６０〜＋３００°、角度θ2 は−１６０〜−３００°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、
３値以上の電圧値が選択されて第１の液晶層に駆動電圧が印加されることを特徴とする反射型カラー液晶表示装置を提供する。
【００３４】
請求項２の発明は、｜角度θ1 ｜は２３０〜２５０°、｜角度θ2 ｜は２３０〜２５０°、０．８≦Δｎ1 ・ｄ1 ≦１．５、およびΔｎ1 ・ｄ1 −０．１５≦Δｎ2 ・ｄ2 ≦Δｎ1 ・ｄ1 ＋０．１５とされたことを特徴とする請求項１の反射型カラー液晶表示装置を提供する。
【００３５】
請求項３の発明は、｛角度θ1 は−２３０〜−２５０°、角度θ2 は＋２３０〜＋２５０°、角度θ3 は（＋９０°＋［−１０°〜＋１０°］）、角度θ4 は（＋４５°＋［−２０°〜−１０°］）もしくは（＋１３５°＋［−２０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋２０°〜＋１０°］）もしくは（−１３５°＋［＋２０°〜＋１０°］）｝とされ、１．２５≦Δｎ1 ・ｄ1 ≦１．３５、および１．２５≦Δｎ2 ・ｄ2 ≦１．３５とされてなることを特徴とする請求項１の反射型カラー液晶表示装置を提供する。
【００３６】
請求項４の発明は、｛角度θ1 は−２３０〜−２５０°、角度θ2 は＋２３０〜＋２５０°、角度θ3 は（＋９０°＋［＋１０°〜＋３０°］）、角度θ4 は（＋４５°＋［＋５°〜＋２５°］）もしくは（＋１３５°＋［＋５°〜＋２５°］）｝または、｛角度θ1 は＋２３０〜＋２５０°、角度θ2 は−２３０〜−２５０°、角度θ3 は（−９０°＋［−１０°〜−３０°］）、角度θ4 は（−４５°＋［−５°〜−２５°］）もしくは（−１３５°＋［−５°〜−２５°］）｝とされ、０．８０≦Δｎ1 ・ｄ1 ≦０．９０、および０．８０≦Δｎ2 ・ｄ2 ≦０．９０とされてなることを特徴とする請求項１の反射型カラー液晶表示装置を提供する。
【００３７】
請求項５の発明は、｛角度θ1 は−２３０〜−２５０°、角度θ2 は＋２３０〜＋２５０°、角度θ3 は（＋９０°＋［−１０°〜＋１０°］）、角度θ4 は（＋４５°＋［−３０°〜−１０°］）もしくは（＋１３５°＋［−３０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋３０°〜＋１０°］）もしくは（−１３５°＋［＋３０°〜＋１０°］）｝とされ、１．２０≦Δｎ1 ・ｄ1 ≦１．３０、および１．３０≦Δｎ2 ・ｄ2 ≦１．４０とされてなることを特徴とする請求項１の反射型カラー液晶表示装置を提供する。
【００３８】
請求項６の発明は、｛角度θ1 は−２３０〜−２５０°、角度θ2 は＋２３０〜＋２５０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋２３０〜＋２５０°、角度θ2 は−２３０〜−２５０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、１．２０≦Δｎ1 ・ｄ1 ≦１．５０、および０．７０≦Δｎ2 ・ｄ2 ≦０．９０とされてなることを特徴とする請求項１の反射型カラー液晶表示装置を提供する。
【００３９】
請求項７の発明は、｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．３０≦Δｎ1 ・ｄ1 ≦２．００、および０．３０≦Δｎ2 ・ｄ2 ≦２．００とされてなることを特徴とする請求項１の反射型カラー液晶表示装置を提供する。
【００４０】
請求項８の発明は、｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．９０≦Δｎ1 ・ｄ1 ≦１．３０、およびΔｎ1 ・ｄ1 −０．１５≦Δｎ2 ・ｄ2 ≦Δｎ1 ・ｄ1 ＋０．１５とされてなることを特徴とする請求項１の反射型カラー液晶表示装置を提供する。
【００４１】
請求項９の発明は、｛角度θ1 は−１７０〜−１９０°、角度θ2 は＋１７０〜＋１９０°、角度θ3 は（＋９０°＋［＋１０°〜＋３０°］）、角度θ4 は（＋４５°＋［−２０°〜＋２０°］）もしくは（＋１３５°＋［−２０°〜＋２０°］）｝または、｛角度θ1 は＋１７０〜＋１９０°、角度θ2 は−１７０〜−１９０°、角度θ3 は（−９０°＋［−１０°〜−３０°］）、角度θ4 は（−４５°＋［＋２０°〜−２０°］）もしくは（−１３５°＋［＋２０°〜−２０°］）｝とされ、０．７５≦Δｎ1 ・ｄ1 ≦１．０５、および０．７５≦Δｎ2 ・ｄ2 ≦１．０５とされてなることを特徴とする請求項１の反射型カラー液晶表示装置を提供する。
【００４２】
請求項１０の発明は、（１０°）2 ≦（｜θ3 ｜−９０°）2 ＋（｜θ4 ｜−  ４５°）2 、かつ（１０°）2 ≦（｜θ3 ｜−９０°）2 ＋（｜θ4 ｜−１３５°）2 の関係が満たされることを特徴とする請求項１〜９のいずれか１項の反射型カラー液晶表示装置を提供する。
【００４３】
また、上記の各請求項のいずれかの発明において、マルチプレックス駆動によって、３値以上の電圧値が選択されて第１の液晶セルに電圧が印加されることを特徴とする反射型カラー液晶表示装置を提供する。
【００４４】
また、上記の各請求項のいずれかの発明において、マルチプレックス駆動の非選択波形のときに白表示が行われ、選択波形または選択波形と非選択波形の中間の電圧が印加されたときに、青表示または緑表示または赤表示の発色が行われることを特徴とする反射型カラー液晶表示装置を提供する。
【００４５】
また、上記の各請求項のいずれかの発明において、マルチプレックス駆動の非選択波形のときに白表示が行われ、選択波形または選択波形と非選択波形の中間の電圧が印加されたときに、電圧の低い方から高い方にしたがって、赤表示、青表示、緑表示の発色が行われることを特徴とする反射型カラー液晶表示装置を提供する。
【００４６】
また、上記の各請求項のいずれかの発明において、マルチプレックス駆動によって、４値以上の電圧値が選択されることを特徴とする反射型カラー液晶表示装置を提供する。
【００４７】
また、上記のマルチプレックス駆動が用いられた反射型カラー液晶表示装置のいずれかの発明において、Ｎ回のフレームを周期とし、Ｎ回のフレーム周期のうち、オン波形を出力する回数がＭとされ、オフ波形を出力する回数が（Ｎ−Ｍ）回とされてなることを特徴とする反射型カラー液晶表示装置を提供する。
【００４８】
この際に、Ｍ＝０のときに白表示、Ｍ＝Ｎのときに緑表示、Ｍ≠０かつＭ≠Ｎのときに赤表示または青表示が行われることを特徴とする反射型カラー液晶表示装置を提供する。また、Ｎに対するＭの設定により階調電圧を発生させ、色表示が行われることを特徴とする反射型カラー液晶表示装置を提供する。
【００４９】
また、上記の各マルチプレックス駆動が用いられたいずれかの発明において、マルチプレックス駆動のデューティ比が１／３２以上であることを特徴とする反射型カラー液晶表示装置を提供する。より多くの情報をカラー表示で提供できるので好ましい。
【００５０】
また、上記の各請求項のいずれかの発明において、電極が行と列のマトリックス状に設けられ、複数の行電極が同時に選択されて駆動されることを特徴とする反射型カラー液晶表示装置を提供する。また、本発明の好ましい態様においては、反射層が液晶層を駆動する電極を兼用してなる。
【００５１】
また、上記の各請求項のいずれかの発明において、赤表示がＣＩＥ  １９３１色度図で０．３３≦Ｘの領域の発色を含むことを特徴とする反射型カラー液晶表示装置を提供する。
【００５２】
また、上記の各請求項のいずれかの発明において、白表示がＣＩＥ  １９３１色度図で０．３≦Ｘ＜０．３３、かつ、０．３＜Ｙ＜０．３４の領域の発色を含むことを特徴とする反射型カラー液晶表示装置を提供する。
【００５３】
また、上記の各請求項のいずれかの発明において、青表示がＣＩＥ  １９３１色度図でＸ≦０．３１、かつ、Ｙ≦０．３０の領域の発色を含むことを特徴とする反射型カラー液晶表示装置を提供する。
【００５４】
また、上記の各請求項のいずれかの発明において、緑表示がＣＩＥ  １９３１色度図でＸ≦０．３０、かつ、０．３０≦Ｙの領域の発色を含むことを特徴とする反射型カラー液晶表示装置を提供する。
【００５５】
本発明のうちで、角度θ1 、θ2 を１７５〜１８５°とする構成は一般の白黒ＳＴＮでは通常用いられていない構成である。
【発明の効果】
【００５６】
本発明により、カラーフィルタを用いずに、一画素で、電圧が印加されないとき、または電圧が低いときにほぼ無彩色表示ができ、かつ電圧を印加することにより赤または青または緑のカラー表示ができる反射型カラー液晶表示装置を実現できた。また、カラーフィルタを液晶セル内部に形成する必要がないために、液晶セルのセルギャップ制御が容易になった。また、歩留が向上し、生産性を向上することができた。
【００５７】
そして、低消費電力で明るく携帯に適した反射型カラー表示装置が可能となった。偏光板が１枚であるので光の損失が少なく表示に寄与する光量が大きく増大した。
【００５８】
また、Ａｇ反射膜を用いた場合、反射率がＡｌよりも約２０％よいのでさらに光の利用効率が改善された。ＡｇとＡｌでは反射の際の波長依存性が異なり、一般に銀の反射は青色の波長域の反射率が低く、反射光は黄色っぽくなる。色度図上で液晶セルの表示が全体的に青色側に寄った使用にすることで総合の表示特性が改善され、明るく色純度のよい表示が得られた。
【発明を実施するための最良の形態】
【００５９】
本発明において、第１の液晶層が表示データを駆動する能動的な光学層として機能する。基本的には両側に透明電極および配向制御膜が備えられた液晶セルである。裏面側の反射層と電極とを兼用する場合には、偏光板側のみ透明電極とする。また、電極は通常ストライプ状のマトリックス構成とされるが、種々の図形状にパターン化されていてもよい。
【００６０】
本発明において、位相差板とは、一方の面から他方の面に光が通過する際に光の位相が大きく変化するものを用い、複屈折板などとも呼ばれる。通常のＴＮ液晶セルと同様に、１６０〜３００°のねじれ角を有する。この位相差板としてはツイスト配向された液晶セルそのもの（第２の液晶層）、ねじれ位相差板、または位相差フィルムの積層体を使用できる。つまり、液晶表示セルとその補償セルという２つの光学媒体の組み合わせで構成する。位相差板が第１の液晶層と偏光板との間に配置されてなることが好ましい。
【００６１】
通常の位相差板はポリカーボネートなどの透明プラスチックフィルムを精度よく１軸延伸して形成される。その光学異方軸を１枚毎に徐々にずらし、複数枚を積層してねじれ位相差板として使用できる。
【００６２】
また、ねじれ位相差板は、光学的に異方性を持った層を、その光学異方軸が連続的にツイストするように多層重ね合わせたものと同等の特性を有する位相差板である。一般には配向規制力を持った２枚の基板間に、ねじれ特性を有する液晶高分子を挟み、硬化させたものである。
【００６３】
温度によってΔｎ・ｄが変化する温度補償位相差板を用いると使用温度域が広がるのでより好ましい。周囲温度が変化しても、色の発色が低下せず良好な反射型カラー液晶表示装置を提供できる。この場合、温度によって変化するΔｎ・ｄは、液晶が温度によって変化するΔｎ・ｄとほぼ同等であるように設けるのが望ましい。
【００６４】
波長による光学異方性の分散を変えたねじれ位相差板を用いることも好ましい。これにより色純度をさらに改良した反射型カラー液晶表示装置を提供できる。
【００６５】
従来から、一対の偏光板の間に液晶層を持つ液晶セルを挟み白黒化するために、二つの液晶セルを用い、第１の液晶層を補償するように第２の液晶層を用いる方法が知られている。
【００６６】
そのときに用いられる最適条件は、第２の液晶層のツイスト角とΔｎ・ｄは、第１の液晶層のツイスト角とΔｎ・ｄにほぼ同等であり、第２の液晶層のツイスト方向は、第１の液晶層のツイスト方向と逆である。また、第１の液晶層の表面の液晶分子の配向方向（第２の液晶層側）と、第２の液晶セルの表面の液晶分子の配向方向（第１の液晶層側）との交差角がほぼ９０°とされる。さらに、偏光板の偏光軸は、それぞれ近設される第１の液晶層または第２の液晶層の偏光板側の表面の液晶分子の配向方向と、ほぼ４５°の交差角を有するように設けられる。
【００６７】
このような構成条件で、反射層側の偏光板を無くしただけであると、電圧が低いとき、または無印加のとき、明るい無彩色の透過状態が得られる。
【００６８】
しかし、印加電圧を上げるにしたがい、白→黄→青→黄→青→緑の表示が得られる。これは、特許文献８の実施例で示されている発明と同等の色変化をするのみである。つまりかなり淡い色変化しかできないか、または赤を発色することができない。
【００６９】
ところが、本発明においては、第１の液晶セルの表面の液晶分子の配向方向と（第２の液晶セル側）と、第２の液晶セルの表面の液晶分子の配向方向（第１の液晶セル側）との交差角を、＋９０°から−１０〜＋４０°、狭い範囲においては＋１０〜＋３０°の範囲でずらすようにする。好ましくは、＋１５〜＋２５°、特に、＋２０°程度ずらして設けるようにすることにより、電圧無印加または非選択状態で明るい無彩色の透過状態が得られる。
【００７０】
具体的に説明すると、液晶層では第１の配向方向から第２の配向方向へ反時計回りに回転し、位相差板の液晶層側における光学異方軸から反液晶層側の光学異方軸へ時計回りに回転する場合、位相差板の液晶層側の面における光学異方軸から第１の配向方向への回転は反時計回りに１００〜１２０°である。そして、電圧を増大させるにつれ、赤、青、緑のカラー表示を可能となしうる。このときの無彩色は明るく、かつ赤、青、緑も良好な色を発色させることが可能となる。
【００７１】
従来の補償セルを用いて白黒を出すための条件に対して、交差角をずらして設けることを述べたが、この他にもねじれ角、Δｎ・ｄ、波長分散を変更することで同様の効果が得られる。
【００７２】
温度によってΔｎ・ｄが変化する温度補償位相差板を用いることにより、周囲温度が変化しても、表示が安定して見やすい反射型カラー液晶表示装置を提供できる。この場合、温度によって変化するΔｎ・ｄは、液晶が温度によって変化するΔｎ・ｄとほぼ同等であるように設ける。また、波長による光学異方性の分散を換えたねじれ位相差板を用いることも好ましい。これにより、色純度をさらに改良した反射型カラー液晶表示装置を提供する。
【００７３】
本発明において、白表示（Ｗ）とは色度座標において、０．３≦Ｘ＜０．３３、かつ、０．３＜Ｙ＜０．３４、赤表示（Ｒ）は０．３３≦Ｘ、青表示（Ｂ）はＸ≦０．３１、かつＹ≦０．３、緑表示はＸ≦０．３０、かつ、０．３≦Ｙの領域の発色を示すものとする。本発明においては、それぞれの色領域を発色することができるように設けられている。もちろん、境界領域を若干ずらして設定して用いることもできるが、各色領域の主たる発色が境界領域以外のより色純度の高い部分の発色を用いていればよい。
【００７４】
よい発色の定義をさらに述べる。白表示（Ｗ）とは色度座標において、ｘ＝０．３１、ｙ＝０．３１６に近いこと、反射率が４０％以上あること、赤表示（Ｒ）はｘ＝０．５、ｙ＝０．３の色座標に近いこと、反射率が２５％以上あること、青表示（Ｂ）はｘ＝０．１５、ｙ＝０．１の色座標に近いこと、反射率が２０％以下であること、緑表示はｘ＝０．２、ｙ＝０．４の色座標に近いことと考えている。なお、色の測定にはミノルタ社のＣＲ−２００を用いた。
【００７５】
さらに、本発明について具体的に説明を進める。本発明において、両電極間での第１の液晶セルの液晶分子のツイスト角を１６０〜３００°とすればよい。これは、１６０°未満では急峻な透過率変化が必要とされる高デューティ比での時分割駆動をした際の液晶の状態変化が少なく、３００°超ではヒステリシスや光を散乱するドメインを生じやすいためである。
【００７６】
また、液晶層の液晶の屈折率異方性（Δｎ1 ）とその液晶層の厚み（ｄ1 ）との積Δｎ1 ・ｄ1 が０．３０〜２．００μｍとされる。これは、０．３０μｍ未満では、電圧を印加したときの液晶の状態変化が小さいこと、２．００μｍ超では、視角や応答性が悪くなるからである。
【００７７】
特に、無彩色の発色を可能とし、電圧に対する色変化を大きくするために、液晶のねじれ角は１７０〜１９０°、または２３０〜２５０°とされることが好ましい。特に、１８０°または２４０°近傍が好ましい。高デューティ比でのマルチプレックス駆動を行う場合は２４０°のものが好ましい。なお、このΔｎ1 ・ｄ1 の範囲は、その液晶表示素子の使用温度範囲内で満足されるようにされることが好ましく、使用温度範囲内で美しい表示が得られる。
【００７８】
もっとも室外使用を目的とした性能要求のために、使用温度範囲内の一部でのみ、この関係を満足するようにされることもある。この場合には、Δｎ1 ・ｄ1 の範囲が上記範囲から外れる温度範囲では、表示の色が所望のものから外れたり、視野角特性が低下したりすることになる。
【００７９】
あるいは、或る色を発生させる駆動電圧が温度によって変化するため、温度変化に対応して駆動電圧が変化するように、温度補償回路が設置されていることが使いやすい装置となる。駆動電圧が温度に対してほぼ線形に変化する場合、温度に対して線形に駆動電圧が変化するように設定すればよい。
【００８０】
反射型カラー液晶表示装置において、発色の駆動電圧幅は狭い。よって、反射型カラー液晶表示装置を用いた電子機器の使用者が自分で駆動電圧を調整できるように、調整つまみが設けられていると使いやすい電子機器となる。
【００８１】
次に、液晶セルの構造について説明する。第１の液晶セルの形成は、所望のパターンにパターニングをしたＩＴＯ（Ｉｎ2 Ｏ3 −ＳｎＯ2 ）、ＳｎＯ2 等の透明電極を設けたプラスチック、ガラス等の基板の表面にポリイミド、ポリアミド等の膜を設け、この表面をラビングしたり、ＳｉＯ等を斜め蒸着したりして配向制御膜を形成した透明電極付きの基板の間に、前記した誘電率異方性が正のネマチック液晶による１６０〜３００°ねじれた液晶層を挟持するように設ける。
【００８２】
この代表的な例としては、多数の行列状の電極が形成されたドットマトリックス液晶表示素子があり、一方の基板に６４０本のストライプ状の電極が形成され、他方の基板にこれに直交するように４００本のストライプ状の電極が形成され、６４０×４００ドットのような表示がなされる。通常、ドットを形成するひとつの画素の寸法は２７０μｍ×２７０μｍ程度であり、画素間の間隙は３０μｍ程度である。
【００８３】
なお、電極と配向制御膜との間に基板間短絡防止のためにＴｉＯ2 、ＳｉＯ2 、Ａｌ2 Ｏ3 等の絶縁膜を設けたり、透明電極にＡｌ、Ｃｒ、Ｔｉ等の低抵抗のリード電極を併設したりしてもよい。端辺はシール材で固定することにより、第１の液晶セルを作製する。
【００８４】
同様にガラス基板に、ポリイミドの薄膜を形成し、布によりラビングすることにより、配向制御膜を形成する。この基板を重ね合わせ、その中に液晶を入れ、端辺をシール材で固定することにより、第２の液晶セルを形成する。
【００８５】
第１の液晶セルと第２の液晶セルとは重ね合わせられ、積層された２層の液晶セルの片側に偏光板が配置される。この偏光板自体は液晶セルを構成する基板の外側に配置することが一般的である。なお、所望の光学性能の範囲内で、構造を簡易化し、生産性を向上するために、基板自体を偏光板で構成したり、基板と電極との間に偏光層を設けてもよい。
【００８６】
第１の液晶セルと第２の液晶セルへ重ね合わした偏光板に対して反対側の位置に、反射層を配置する。この反射層は凸凹された表面にＡｌを蒸着した物体を用いてもよい。また、Ａｌ以外に、Ａｇ、Ｃｒ、Ｎｉ、Ａｕ、Ｗなどの金属を用いてもよい。また、ＡｌやＡｇ、Ｃｒ、Ｎｉ、Ａｕ、Ｗ等の薄膜の表面を凹凸に粗して用いてもよい。
【００８７】
なお、金属表面を凹凸に形成しても光はその偏光状態をほぼ維持したまま反射される。これは紙などの場合のように、偏光の反射がほとんどランダムになってしまうこととは異なる。したがって、液晶層を通過した光は金属の反射層によって、偏光状態が変化せずにほぼそのまま反射され、再び液晶層を通過する。
【００８８】
また、第２の液晶セルを上述したようなセル構造とせずに同等の光学的特性を有する位相差板とすることができる。特性的に同等なねじれ位相差板を用いてもよい。特性的に同等とは、光がある面から入射したとき、反対側の面から出射してくる光の偏光状態が同じであることを示す。
【００８９】
ねじれ位相差板は、光学的異方性を持つ分子を厚み方向にツイストさせて形成されたものである。分子のねじれ角、分子の持つΔｎ・ｄの大きさ、ねじれ方向がほぼ同じであれば、特性的に第２の液晶セルとほぼ同じものが形成できる。ねじれ位相差板を用いた場合、第２の液晶セルと同様に第１の液晶セルの基板の外側に配置しなくても、第１の液晶セルの液晶層と基板の間に挟んでもよい。
【００９０】
本発明では液晶表示装置を実際に作成するとともに液晶デバイスシミュレータを用いた。それは液晶の光学計算に広く用いられているバールマン（Berreman）の４×４マトリックス法という計算手法である。液晶層と補償セル（位相差板）の各Δｎ・ｄや、偏光板との間の相互の交差角に関する条件と光学特性（色の発色）の関係について計算を行った。
【００９１】
この計算手法では、最初に液晶の印加電圧に対する配向状態を計算する。次に、液晶、補償フィルム、偏光板等の光学部材を適当な厚みの層に分割し、その分割した層ごとに局所伝播マトリックス（local propagation matrix）を計算する。その後、各層の局所伝播マトリックスを掛け合わせ、光学部材全体の伝播マトリックス（propagation matrix）を計算する。最後に、その伝播マトリックスを用いて入射光に対する反射光および透過光を計算する。
【００９２】
この４×４マトリックス法を用いることにより各波長毎の透過率および反射率を計算できる。透感透過率および視感反射率を計算できるだけでなく、本発明のカラー液晶表示装置の色度座標のｘ値、ｙ値等を高速かつ高精度で計算できた。この４×４マトリックス法は数値計算により実験結果を見事に再現できる手法として知られている。本発明の実施例について実験結果と対比した結果は有効精度内でほぼ一致することが確認できた。
【００９３】
実際のＬＣＤには或る有限の透過率と波長特性を持つＩＴＯや、ガラス基板や、ギャップ制御用のスペーサなどがある。それらの影響を考慮すると、計算された透過率−印加電圧特性は実測結果をよく再現している。また、色度の計算結果についても、実測結果と良く一致しており、この４×４マトリックス法による計算は実験を代替できる。
【００９４】
本発明の反射型カラー液晶表示装置の基本構成を図１に示す。吸収軸１８を有する偏光板１と反射層８の間に第１の液晶層６と位相差板３を備え、駆動回路１０から３値以上の電圧値が選択されて第１の液晶層６にマルチプレックス駆動によって印加され、吸収軸１８、第１の液晶セルの第１の配向方向１４および第２の配向方向１５、第２の液晶層の第１の配向方向１６および第２の配向方向１７の間のそれぞれの交差角θ1 、θ2 、θ3 、θ4 を所定角度に設定してある。角度の関係を平面的に図８に示す。なお、本発明で定義する角度の表示は回転方向を含むものとし、偏光板側から見た場合を示し、プラスの角度は時計回り、マイナスの角度は反時計回りを指す。
【００９５】
こうして形成された反射型カラー液晶表示装置に電圧を加えると、図５に示すような色変化および図６に示す反射率・電圧特性が得られる。駆動する電圧レベルにより色の発色が変化するので、色の選択は階調電圧レベルを選択することにより行う。
【００９６】
電圧を階調駆動する方法としては、フレーム階調、振幅階調、パルス幅階調など種々の方法が公知である。液晶に印加される実効電圧の大きさを変化させられる手法であれば、どんな方法でもよい。現在一般に用いられているのは、フレーム階調であるがこの手法を用いても良好な表示が得られている。また、疑似階調を用いてもよい。
【００９７】
また、複数の行電極を同時に選択する駆動法（一例を挙げると高速応答性の液晶に対し、複数の行電極を同時選択し、選択パルスを分散させることにより緩和を防止して、高コントラストの表示を得る高速表示のための駆動技術である。マルチラインセレクション法などと呼ばれる、例えば、米国特許第５２６２８８１号明細書に示された駆動方法）も採用できる。
【００９８】
これにより高速の表示であっても、コントラストを落さずに明るい反射型カラー表示が得られる。低消費電力化された液晶表示装置、もしくは高速表示用の液晶材料を用いても色純度を低下させずに動画対応可能な反射型カラー液晶表示装置を提供できる。
【００９９】
また、マルチプレックス駆動を用いるためには、電圧に対する光学的変化を大きくする必要がある。本発明において、それを実現するために以下の点について配慮しなければならない。
【０１００】
まず、最初に、液晶のねじれ角を大きくすることである。これはシェーファー（Scheffer）らによって指摘されていたことである。これにより、電圧に対する液晶分子の変化を大きくすることができ、電圧に対する光学的変化を大きくすることが可能となった。
【０１０１】
次に、反射層が配置されている側の偏光板をなくしたことである。電圧に対する液晶層のΔｎ・ｄ変化は同じでも光は同じ光路をもう一度通るので、実質的なΔｎ・ｄの変化は２倍変化したものと考えることができる。つまり光学的変化が大きくなることとなる。
【０１０２】
従来、反射層は、偏光板の外側に配置しなければならなかったが、この構成では反射層側に偏光板がないのでその必要はない。量産に用いられている偏光板は、高温高湿環境に置かれると、耐久性が低くなるので基板の液晶側に偏光板を配置することは、実用上の信頼性に問題がある。よって偏光板は基板の外側（反液晶セル側）に配置されるため、反射層は当然基板の外側に配置される。
【０１０３】
このとき、反射層が液晶から基板の厚み分、離れているため、透過（白）背景で非透過（黒）表示を行う反射型液晶表示装置を見ると、黒表示の影が観察される。これは、黒表示したいところは明るくなり、白表示したいところは暗くなるため、視認性が大きく減少する。
【０１０４】
さらに、液晶から反射層までの距離が短ければ短いほど、視認性は向上する。基板の液晶側に反射層が配置されればよい。例えば、基板の液晶側に反射層を配置し、その上に電極を配置すればよい。
【０１０５】
具体的には、ガラス基板の表面を凹凸にしＡｌの薄膜を形成し反射層とし、その上に絶縁膜を形成し、その上にＩＴＯの膜を形成し、所望のパターンにＩＴＯをパターニングをする。この上にさらに絶縁膜、配向膜を形成し、その上に液晶層となる。
【０１０６】
また、ＩＴＯの電極の代わりに、Ａｌ等の反射特性を持つ材料を電極に用いてもよい。Ａｌ以外に、Ａｇ、Ｃｒ、Ｎｉ、Ａｕ、Ｗなどの金属が考えられる。反射率から考えると銀が最も望ましいが、量産性やコストとの兼ね合いで材料を選択すればよい。
【０１０７】
本発明の反射型カラー液晶表示装置は、光が液晶セルを２度通過して発色するため、液晶セルから反射板までの距離がより短いことが、色純度のより良好な表示となる。
【０１０８】
液晶セルから反射板までの距離を短くする方法としては、例えば反射板側の基板の厚みを薄くする。通常基板として用いられているガラス基板の厚みは１．１ｍｍや０．７ｍｍが多い。このガラス基板を０．４ｍｍ厚のガラス基板に変更するとよい。さらに薄い０．３ｍｍや０．１ｍｍ以下のガラス基板を用いるとさらによい。０．４ｍｍ以下の厚みのガラスで、大きなサイズの反射型カラー液晶表示装置を作ると、ガラス基板は割れやすく、使用上または製造上問題となる。その対策としては、反射板側の基板の厚みを０．４ｍｍ以下とし、偏光板側の基板の厚みを０．４ｍｍ以上とすると割れにくくなり、使用上または製造上有益である。
【０１０９】
ガラス基板の代わりにポリカーボネートやアクリル樹脂などのプラスチックを用いると、薄く軽く割れにくい反射型カラー液晶表示装置ができる。また、液晶セルと反射板の距離を短くする方法として、反射板を液晶セルの基板の液晶側に作成すれば、液晶と反射板の距離は更に短くなるので、色純度は改善される。
【０１１０】
例えば、ガラス基板の表面をフッ酸等でエッチングすることにより凹凸にする。またはガラス表面に数μｍ〜数１０μｍの径を持つ粒子を配置させることにより、表面に凹凸を形成する方法などがある。反射板の凹凸は、１０〜２０μｍピッチでピークからピークまでの凹凸が１〜２μｍ程度にするのが、反射輝度が高く見栄えがよい。
【０１１１】
そして、凹凸の表面に蒸着またはスパッタ等でＡｌの薄膜を形成し反射層とする。Ａｌ以外に、Ａｇ、Ｃｒ、Ｎｉ、Ａｕ、Ｗなどを用いてもよい。Ａｌの上に凹凸を平坦化する平坦化膜または絶縁膜を形成する。さらにその上に透明電極を形成し、所望のパターンにパターニングする。  また、電極に反射板としての機能を持たしてもよい。
【０１１２】
電極を反射層にした場合、例えばストライプ状にパターニングした場合、線間は反射されない状態となる。線間に入った光は反射に利用されないことになる。これでは暗い状態となってしまうので、基板の外側（反液晶セル側）に反射層をさらに配置してもよい。
【０１１３】
本発明は、カラーフィルタを用いずに、マルチプレックス駆動が可能で、非選択波形のときに明るい白表示が可能で、選択波形または選択波形と非選択波形の中間の電圧を印加したときに、青または緑または赤の発色が可能とすることである。
【０１１４】
言い換えれば、電圧を印加されないとき、または電圧が低いときに、ほぼ無彩色表示ができ、かつ電圧を印加してカラー表示を実現できる反射型カラー液晶表示装置が得られる。
【０１１５】
なお、このカラー液晶表示装置は偏光板を１枚しか用いていないため、明るい表示が可能である。よって、バックライトが無くても非常に明るい反射型カラー液晶表示装置として使用できる。バックライトを設ける必要がないので、低消費電力化でき、特に携帯用に適する。また、液晶表示装置の厚みを相対的に薄くできる。
【０１１６】
特に、電極を反射層として用いると、影が発生したり、色の濁り等が発生せず視認性の極めて高い表示が可能となる。この際、反射層の材料として銀を用いるとその高い反射能と合わせてより明るいカラー表示が得られる。
【０１１７】
次に、フレーム階調について詳細に説明する。本発明に用いるマルチプレックス駆動において、表示画素（オン画素）を作るための波形をオン波形、非表示画素（オフ画素）を作るための波形をオフ波形と呼ぶ。
【０１１８】
まず、デューティ比やバイアス電圧によって、オン波形、オフ波形の形状やオン波形とオフ波形の印加実効電圧比が決定される。オン波形、オフ波形の１フレームでの印加実効電圧をそれぞれＶON、ＶOFF とする。例えば、最適バイアス法を用いると、１／２００デューティの場合、ＶON／ＶOFF ＝１．０７であり、１／１２８デューティのとき、ＶON／ＶOFF ＝１．０９であり、１／６４デューティのとき、ＶON／ＶOFF ＝１．１３であり、１／３２デューティのとき、ＶON／ＶOFF ＝１．２０であり、１／１６デューティのとき、ＶON／ＶOFF ＝１．２９である。
【０１１９】
通常、表示画素はＶONの実効電圧が印加され、非表示画素はＶOFF の実効電圧が印加されるだけである。つまり、ＶONとＶOFF の中間の実効電圧を印加できない。
【０１２０】
しかし、今、仮に７フレームのうちで、１回オン波形のフレームを印加し、６回オフ波形のフレームを印加するように設定すると、画素には、１フレームに対して（ＶON＋ＶOFF ×６）／７の平均実効電圧が印加されることとなる。つまり、ＶONとＶOFF の中間の実効電圧が印加可能となることを意味する。７フレームの中で、３回オン波形のフレームを印加し、４回オフ波形のフレームを印加するように設定すると、画素には、１フレームに対して（ＶON×３＋ＶOFF ×４）／７の平均実効電圧が印加されることとなる。
【０１２１】
このような手法によれば、７フレームを用いることにより、８階調の実効電圧レベルが可能となる。図１を参照し、より詳細に説明する。図１では第１の液晶層６を挟持する電極（図示を省略している）間に駆動回路１０からフレーム変調の駆動波形を供給する。
【０１２２】
駆動波形において、縦軸が電圧値、横軸が時間である。Ｖ３、Ｖ２、Ｖ１は基準０Ｖからの電圧値を示し、Ｔ１、Ｔ２、Ｔ３は時間幅を示す。マルチプレックス駆動により、１画素に印加される波形は、例えば１／２００デユーティ、１／１５バイアスで駆動したときに、表示画素に印加されるオン波形は（ａ）のように、非表示画素に印加されるオフ波形は（ｂ）のようになる。
【０１２３】
１／２００デューティで１／１５バイアスのとき、Ｖ３：Ｖ２：Ｖ１＝１５：１３：１であり、（Ｔ１＋Ｔ２＋Ｔ３）：Ｔ２＝２００：１である。ここで、（Ｔ１＋Ｔ２＋Ｔ３）を１フレームと呼ぶ。Ｔ２は走査時を表し、Ｔ１とＴ３は非走査時を表す。Ｖ１は走査時の表示画素に印加される電圧の高さを、Ｖ２は走査時の非表示画素に印加される電圧の高さを、Ｖ３は非走査時に印加される電圧の高さを表す。
【０１２４】
（ａ）の１フレームで印加される実効電圧はＶONで表され、（ｂ）の１フレームで印加される実効電圧はＶOFF で表されるものとする。一般に、液晶に印加される電圧は交流化される。なぜなら、液晶にＤＣ電圧が印加されると液晶の分解が起こるためなどである。
【０１２５】
（ａ）は、１フレームの後に、反転させたフレームを印加させ交流化する方法を示す。このように、２フレーム毎で交流化すると低周波成分が増大するため、解決策としてライン反転駆動方式を採用するのが一般的である。１フレーム内でも、一定のライン数を駆動する毎に極性を変えていく方法である。以下、２フレーム毎で交流化することを考えると、８階調を行うのに１４フレームを必要とする。
【０１２６】
（ａ）に１４フレーム全てが走査時の電圧がＶ１または−Ｖ１の波形を表す。このとき印加される１フレームの平均実効電圧はＶONとなる。（ｂ）に１４フレーム全てが走査時の電圧がＶ２または−Ｖ２の波形を表す。このとき印加される１フレームの平均実効電圧はＶOFF となる。（ｃ）に１４フレーム中の６フレームだけがＶ１で８フレームがＶ２の波形を表す。
【０１２７】
このとき印加される１フレームの平均実効電圧は（ＶON×６＋ＶOFF ×８）／１４の値となる。（ｄ）に１４フレーム中の２フレームがＶ１で１２フレームがＶ２の波形を示す。このとき印加される１フレームの平均実効電圧は（ＶON×２＋ＶOFF ×１２）／１４となる。
【０１２８】
このように、オン波形のフレームとオフ波形のフレームが混ざって印加される場合を選択することにより、オン波形のみによる実効電圧とオフ波形のみによる実効電圧の間の実効電圧を選択できる。
【実施例】
【０１２９】
まずグループＡの例について説明する。
【０１３０】
（グループＡ）
（例Ａ１）
図２は本例を模式的に表した断面図である。図２において、偏光板１、第２の液晶セル４、第１の液晶セル６、および反射層８とが順に設けられている。第２の液晶セル４は、液晶層４Ｌ、第２の液晶セルの第１の基板４Ａ、第２の液晶セルの第２の基板４Ｄ、第２の液晶セルの第１の配向制御膜４Ｂ、第２の液晶セルの第２の配向制御膜４Ｃを有する。
【０１３１】
第１の液晶セル６は、液晶層６Ｌ、第１の液晶セルの第１の基板６Ａ、第１の液晶セルの第２の基板６Ｄ、第１の液晶セルの第１の電極６Ｅ（第１の基板６Ａ側）、第１の液晶セルの第１の配向制御膜６Ｂ、第１の液晶セルの第２の配向制御膜６Ｃ、第１の液晶セルの第２の電極６Ｆ（第２の基板６Ｄ側）、絶縁層６Ｅ、６Ｈなどを有する。また、図示を省略した駆動回路から第１の液晶セルの上下の電極（第１の電極６Ｅ、第２の電極６Ｆ）に駆動電圧が印加される。
【０１３２】
また、液晶セル６においては、液晶層６Ｌの周辺シール、電極と配向制御膜との間に配置される絶縁膜、遮光膜、引き出し電極端子、下地膜、保護膜、その他の通常の液晶セルに用いられる構成要素が備えられている。なお、液晶セルの詳細な構造の説明は省略している。次に、液晶セル６の形成について説明する。
【０１３３】
まず、透明電極（ＩＴＯ）の付いたガラス基板を、ＩＴＯをストライプ状にパターニングし、一方の電極である第１の電極６Ｂとし、その上に、ＴｉＯ2 とＳｉＯ2 の薄膜を作製し、絶縁膜を形成し、ポリイミドの薄膜を形成し、布によりラビングすることにより、第１の配向膜制御６Ｂを形成した。この基板および同様に形成したもう１枚の基板とをストライプ状の電極が交差するように２枚重ね合わせ、その中に液晶材料を入れ、端辺をシール材で固定することにより、第１の液晶セルを形成した。
【０１３４】
同様に、ガラス基板にポリイミドの薄膜を形成し、布によりラビングすることにより、配向制御膜４Ｂを形成した。この基板を重ね合わせ、その中に液晶材料を入れ、端辺をシール材で固定することにより、第２の液晶セル４を形成した。図２において偏光板側を上側、反射層側を下側と定義する。
【０１３５】
図４において、第１の液晶セルの上側の液晶分子の配向方向を１４、第１の液晶セルの下側の液晶分子の配向方向を１５、第２の液晶セルの上側の液晶分子の配向方向を１６、第２の液晶セルの下側の液晶分子の配向方向を１７、偏光板の吸収軸を１８とする。また、図４において、液晶分子の配向方向を示す矢印の方向（ＤLC）は、基板面（配向制御膜）に対して液晶分子が傾いている矢印方向を示すものとする。
【０１３６】
また、第１の液晶セルの上側の液晶分子の配向方向１４から第１の液晶セルの下側の液晶分子の配向方向１５までの液晶ねじれ角を反時計回りにθ1 、第２の液晶セルの上側の液晶分子の配向方向１６から第２の液晶セルの下側の液晶分子の配向方向１７までの液晶ねじれ角を時計回りにθ2 とする。
【０１３７】
また偏光板の吸収軸１８から第２の液晶セルの上側の液晶分子の配向方向１６までの時計回りの角度をθ4 とし、第２の液晶セルの下側の液晶分子の配向方向１７と第１の液晶セルの上側の液晶分子の配向方向１４までの時計回りの角度をθ3 とする。
【０１３８】
また、本例では、第１の液晶セルを左螺旋、第２の液晶セルを右螺旋としたが、螺旋がそれぞれ逆であっても第１の液晶セルや第２の液晶セルの液晶分子の配向方向、偏光板の吸収軸方向との関係θ1 、θ2 、θ3 、θ4 の回転方向を逆にすることにより、上記の例と同様に容易にカラー表示が得られる。基本的にθ1 とθ2 との間には互換性がある。
【０１３９】
そして、第１の液晶セルの屈折率異方性Δｎ1 と液晶層の厚みｄ1 を調整し液晶層のΔｎ1 ・ｄ1 をほぼ０．９５μｍとした。第２の液晶セルの屈折率異方性Δｎ2 と液晶層の厚みｄ2 を調整し液晶層のΔｎ2 ・ｄ2 もほぼ０．９５μｍとした。そして、θ1 ＝−１８０°、θ2 ＝１８０°、θ3 ＝１１０°、θ4 ＝４５゜と設定した。
【０１４０】
図５の発色状態を示す色度図（ＣＩＥ  １９３１色度図の部分拡大図）に示すように印加される実効電圧の増大にともない、明るい白から、赤、青、緑の表示が得られた。パルス状階調電圧を印加することで発色が得られた。充分に視認できる良好な色純度を有するカラー液晶表示が達成できた。
【０１４１】
この液晶表示素子を、１／３２デューティで８階調駆動することにより、０／７レベルで白表示、３／７レベルで赤表示、５／７レベルで青表示、７／７レベルで緑表示が得られた。もちろん、スタティック駆動も可能である。なお、この色度は開口率約８０％のドットマトリックス型表示素子の画素のない線間の部分のノイズを含んだものであって、実際に視認される色にほぼ近い。
【０１４２】
表示画面の大きさとしては６４×６４ドットの表示を行った。本例の反射型カラー液晶表示装置を用いてグラフの表示を行った。背景色が白であって、棒グラフを赤、青、緑の３色表示とした。そのため視認性がきわめて向上した。
【０１４３】
また、日程管理を表す場合に、重要な会議を赤表示として注意を促すことができた。また、カレンダーの表示を行う際には、土曜日と日曜日を赤表示とし、平日を青表示とし、今日の曜日を緑表示とした。この場合も背景色は白とした。
【０１４４】
また、文章の表示を行った。背景色は同様に白として、文字を青表示とし、文中の或るブロックについて赤表示としてマーキングとした。表題は緑色表示とし、アンダーラインを緑または赤で表示した。
【０１４５】
また、グラフィック表示は、白と赤と青と緑とを用い、中間電圧を多用することにより、白っぽい赤、紫、青緑を用いて、人間の顔を表現したり、景色をカラー表示することができた。
【０１４６】
このように本例において、単純な白黒表示に比較すると明るく、また表示において視認性が改善され、さらに、作業性のよい環境を提供できた。
【０１４７】
（例Ａ２）
例Ａ１の第２の液晶セルの代わりにほぼ同じ構成のねじれ位相差板を用いた。図３にその構成を示す。偏光板１、ねじれ位相差板５、第１の液晶セル（液晶層６Ｌ）、反射層８とを設けた。この例Ａ２の実験結果は、例Ａ１とほぼ同じ効果が得られた。
【０１４８】
例Ａ１がガラス基板を用いて第２の液晶セルを形成したのに対し、本例の位相差板はフイルムのみで作製されているので軽く、使用上携帯用途に適する。
【０１４９】
（例Ａ３）
例Ａ１の第１の液晶セルの下側に張り付けた反射層の代わりに、下側の電極を反射層と兼用とした。具体的には、基板として用いられるガラス基板を、片側のみ露出させＨＦ（フッ酸）につけて、ガラス表面を凹凸にし、その上にＡｌの蒸着を行う。その後、パターニングを行い、ストライプ状の電極を作製する。
【０１５０】
さらに、その上にＳｉＯ2 とＴｉＯ2 の絶縁膜を作製し、その上にポリイミドの配向制御膜を作製した。この基板と、ＩＴＯの透明電極がストライプ状にパターニングされたものを、スペーサを介して重ね合わせ、周辺にシール材により固定し、液晶を注入し、第１の液晶セルを形成した。
【０１５１】
電圧に対する発色等は、ほぼ例Ａ１と同等の効果が得られた。さらに、電極と反射層を兼用にすることにより、影の発生がほとんどないので見やすく、色純度のよい表示が可能となった。この例Ａ３において、Ａｌの代わりにＡｇを用いて蒸着しても、同様の効果が得られた。
【０１５２】
（例Ａ４）
例Ａ３と同じ構成において、第１の液晶セルの下側にさらに反射層を貼って構成した。このようにして、電極と反射層とを兼用にすると、電極のパターニングにより除去された電極部からは反射がなくなり暗くなるが、本例の構成とすれば、パターニングによって反射が無くなった部分からも基板の下側の反射層から反射が起きることにより明るい反射型の表示が得られた。
【０１５３】
（例Ａ５）
例Ａ３の反射層兼用電極を次のように作製した。基板として用いられるガラス基板上に、半径が数μｍの球状のガラスを付着させ、ガラス表面を凸凹にし、その上にＡｌの蒸着を行う。
【０１５４】
その後、パターニングを行い、ストライプ状の電極を作製する。さらに、その上にＳｉＯ2 とＴｉＯ2 の絶縁膜を作製し、その上にポリイミドの配向制御膜を作製した。この基板と、ＩＴＯの透明絶縁膜がストライプ状にパターニングされたものを、スペーサを介して重ね合わせ、周辺にシール材により固定し、液晶を注入し、第１の液晶セルを作製した。これにより、前述した各例と同様に、影の発生がほとんど無く、色純度の良好な表示が可能となった。
【０１５５】
また、半径が数μｍの球状のガラスを付着させただけであると、表面の凹凸が大きいので、レベリング材により表面の凸凹を小さくすることにより、ギャップコントロールが簡単になり、色純度の良い表示を得ることが可能となった。
【０１５６】
（例Ａ６）
例Ａ３の反射層兼用電極を次のように形成した。基板として用いられるガラス基板上には、鏡面状のＡｌの電極を作製し、パターニングを行い、ストライプ状の電極を作製する。さらに、その上にＳｉＯ2 とＴｉＯ2 の絶縁膜を作製し、その上にポリイミドの配向膜を作製した。
【０１５７】
この基板と、ＩＴＯの透明絶縁膜がストライプ状にパターニングされたものを、スペーサを介して重ね合わせ、周辺にシール材により固定し、液晶を注入し、第１の液晶セルを作製した。このように反射層が鏡面として作用するときは、特定の角度で入射した光しか利用されない。
【０１５８】
特定の方向から見た場合には良好な表示が得られるが、若干角度が変化すると急激に表示が悪くなる。そのため、観察者側に拡散板をおいたり、プリズムアレイをおいたり、レンチキュラーレンズをおいたりすることにより、視角の広い表示が得られた。
【０１５９】
（例Ａ７）
第１の液晶セルの屈折率異方性Δｎ1 と液晶層の厚みｄ1 を調整し、液晶層のΔｎ1 ・ｄ1 をほぼ０．８５μｍとした。同様に、第２の液晶セルの屈折率異方性Δｎ2 と液晶層の厚みｄ2 を調整し、液晶層のΔｎ2 ・ｄ2 をほぼ０．８５μｍとした。
【０１６０】
θ1 ＝−２４０°、θ2 ＝２４０°、θ3 ＝１１０°、θ4 ＝４５°と設定した。１／２００デューティ、８階調のマルチプレックス駆動と同等の駆動波形で表示を行った。０／７で白表示、３／７で赤表示、５／７で青表示、７／７で緑表示を行うことができた。
【０１６１】
しかし、色の純度は例Ａ１のものに比較して相対的に淡く、充分鮮明なカラー表示は得られなかった。しかし、背景色に淡い地色が好まれるような表示に充分用いることができた。例えば、うすいピンク色の表示を提供できた。また、本例の液晶セルは従来の白黒ＳＴＮ液晶表示素子の製造工程を用いて素子形成を行いうるので好ましい。
【０１６２】
さらに本発明を用いた別の例について説明する。ＰＤＡ（パーソナルデジタルアシスタント）に、上記の例Ａ１〜Ａ７の反射型カラ−液晶表示装置を用いた。従来、カラー表示をする表示装置は、カラーフィルタを用いたＴＦＴ−ＬＣＤやＳＴＮ−ＬＣＤしかなかった。しかし、カラーフィルタを用いた液晶表示装置は透過率が低いため、反射型としては使えず、バックライトを必要とする。バックライトは消費電力が大きく、携帯用の端末としては、長時間使用ができない。バックライトを用いた液晶表示装置は、約２Ｗの消費電力である。
【０１６３】
ＰＤＡの表示部として、この反射型カラー液晶表示装置を用いると、消費電力は約０．５Ｗであった。そのため、カラー表示をしながら、長時間使用が可能となった。また、従来の偏向板を２枚用いたタイプよりも、偏向板を１枚しか使用していないため、明るい表示が可能となった。
【０１６４】
（グループＢ）
次に本発明に関するグループＢの例を説明する。角度θ1 とθ2 はおよそ２４０°に設定される。その概要を表１に示す。基本的な構成とその製造方法は上述した例Ａ１〜Ａ７と同様である。
【０１６５】
θ3 とθ4 がある関係を満たすと、明るく色純度の良い発色を得ることができる。その関係を図７に示す。斜線で囲まれる範囲が良い発色が得られるところである。
【０１６６】
図９には、６つの斜線部が示されている。これらは、横軸（θ4 ）、縦軸（θ3 ）の座標位置が、ほぼ（１０°，１１０°）を中心としてほぼ５〜１０°に相当する長さの直径を有する円と、ほぼ（６０°，１１０°）を中心としてほぼ１０°に相当する長さの直径を有する円と、座標位置がほぼ（２５°，９５°）および（１１５°，９５°）を中心としてほぼ２５〜３０°に相当する長さの直径を有する円と、座標位置がほぼ（５０°，１１５°）および（１４０°，１１５°）を中心としてほぼ３０°に相当する長さの長径とほぼ１５〜２０°に相当する長さの短径を有する縦長の楕円の領域である。
【０１６７】
また、液晶セルのΔｎ1 ・ｄ1 とねじれ位相差板のΔｎ2 ・ｄ2 がある関係を満たすと、明るく色純度の良い発色を得ることができる。その関係を図１０に示す。斜線で囲まれる範囲が良い発色を得られるところである。
【０１６８】
図１０には、５つの斜線部が示されている。これらは、横軸（Δｎ2 ・ｄ2 ）、縦軸（Δｎ1 ・ｄ1 ）の座標位置が（０．６，１．１）、（０．９，１．０５）を中心としてほぼ０．０５μｍに相当する長さの直径を有する円と、座標位置がほぼ（０．７５，１．３５）を中心として約０．３μｍに相当する長径と約０．２μｍに相当する短径を有する縦長の楕円と、座標位置がほぼ（０．８５〜０．９，０．８５〜０．９）を中心とし長径が４５°右上りで約０．１５μｍ、短径が約０．１μｍの楕円、および座標位置がほぼ（１．３，１．２５）を中心とし長径が４５°右上りで約０．２〜０．２５μｍ、短径が約０．１μｍの楕円の領域である。
【０１６９】
図１１〜図１７に例Ｂ１〜Ｂ７、図４２〜図４４に例Ｂ８〜Ｂ１０の発色ループを示す色度座標と印加電圧と反射率との関係を示すグラフをそれぞれ示す。表４、表５（例Ｂ８）、表６、表７（例Ｂ９）、表８、表９（例Ｂ１０）にコンピュータシミュレーションによる印加電圧（Ｖ）と透過率（％）、および色データ（Ｘ−Ｙ座標値）を示す。
【０１７０】
図１８は公知例の発色を示す。図１９は比較例Ｂ０の場合を示す。グループＡの中で、例Ｂ８、Ｂ９、Ｂ１０は色の純度が特によく、かつ明るい表示が可能となり、表示素子として視認性にすぐれており、種々の応用に供しうる。
【０１７１】
（グループＣ）
次に本発明に関するグループＣの例を説明する。角度θ1 とθ2 はおよそ１８０°に設定される。その概要を表２に示す。基本的な構成とその製造方法は上述した例Ａ１〜Ａ７と同様である。
【０１７２】
θ3 とθ4 がある関係を満たすと、明るく色純度のよい発色が得られる。その関係を図４に示す。斜線で囲まれる範囲がよい発色が得られるところである。格子で囲まれる範囲（斜線が重なった範囲）が、さらによい発色が得られるところである。
【０１７３】
図２０には、４つの斜線部が示されている。これらは、横軸（θ4 ）、縦軸（θ3 ）の座標系において、中心座標がほぼ（２０°，９０°）および（１１０°，９０°）で直径が約１０°に相当する２つのほぼ円形の範囲と、縦軸が約８０〜１２５°で、横軸が約３５〜７０°、および約１２５〜１６０°の２つの矩形領域におさまる形状の範囲である。特に発色のよい領域は、縦軸が約９５〜１１０°で、横軸が約４５〜６５°、および約１３５〜１５５°の２つの矩形領域内におさまる範囲である。
【０１７４】
また、液晶セルのΔｎ1 ・ｄ1 とねじれ位相差板のΔｎ2 ・ｄ2 がある関係を満たすと、明るく色純度のよい発色が得られる。その関係を図２１に示す。斜線で囲まれる範囲がよい発色を得られるところである。
【０１７５】
図２１には、２つの斜線部が示されている。これらは、横軸（Δｎ2 ・ｄ2 ），縦軸（Δｎ1 ・ｄ1 ）の座標系において、中心座標がほぼ（０．８５，１．０）で、直径約０．１μｍのほぼ円形の小領域と、縦軸が約０．９〜１．４５で、横軸が約０．９〜１．３５の矩形内におさまる斜め右上りの楕円体またはそれに近い形状の範囲である。
【０１７６】
図２２〜図２７に例Ｃ１〜Ｃ６の発色ループを示す色度座標と印加電圧と反射率との関係を示すグラフをそれぞれ示す。
【０１７７】
（グループＤ）
次に本発明に関するグループＤの例を説明する。角度θ1 とθ2 はおよそ２４０°に設定される。その概要を表３に示す。基本的な構成とその製造方法は上述した例Ａ１〜Ａ７と同様である。
【０１７８】
θ1 が２４０°ツイストで、Δｎ2 ・ｄ2 が０．８４５μｍのとき、ねじれ位相差板のねじれ角θ2 と液晶セルのΔｎ1 ・ｄ1 が、ある関係を満たすと、明るく色純度のよい発色が得られる。その関係を図２８に示す。斜線で囲まれる範囲がよい発色が得られるところである。
【０１７９】
図２８には、３つの斜線部が示されている。これらは、横軸（θ2 ）、縦軸（Δｎ1 ・ｄ1 ）の座標位置が、ほぼ（１００°，１．１μｍ）を中心とする長辺約０．４５、短辺４０°の長さに相当する縦長の矩形内におさまる略とっくり形状の範囲と、中心座標がほぼ（１９０°，１．３５μｍ）で長径約８０°、短径約０．３μｍの長さに相当する横長の矩形内におさまる略楕円形状の範囲と、中心座標がほぼ（２４０°，０．９μｍ）で長辺約３０°、短辺約０．２μｍの長さに相当する横長の矩形内におさまる略楕円形状の範囲である。
【０１８０】
θ1 が２４０°ツイストで、Δｎ2 ・ｄ2 が０．８４５μｍのとき、θ3 とθ4 が、ある関係を満たすと、明るく色純度のよい発色が得られる。その関係を図２９に示す。斜線で囲まれる範囲がよい発色が得られるところである。
【０１８１】
図２９には、７つの斜線部が示されている。これらは、横軸（θ4 ）、縦軸（θ3 ）の座標系で、中心座標がほぼ（１０°，１０５°）で、長辺約２０°、短辺約１０°に相当する縦長の矩形内におさまる略楕円形状の範囲と、中心座標がほぼ（４０°，１０５°）で、縦約３０°、横約３０°の矩形内におさまる斜め右上がりの長体形状の範囲と、中心座標がほぼ（８５°，１０５°）で、縦約２０〜２５°、横約２５〜３０°の矩形内におさまる左上がりの変形楕円形状の範囲と、中心座標がほぼ（１３０°，１０５°）で、縦約３０°、横約３０°の矩形内におさまる斜め右上がりの長体形状の範囲と、中心座標がほぼ（１７０°，１０５〜１１０°）で、縦約２０°、横約１５°の矩形内におさまる略縦長の楕円形状の範囲と、中心座標がほぼ（５５°，５０°）で、縦約１５°、横約２０°の矩形内におさまる横長の略楕円形状の範囲と、中心座標がほぼ（１５０°，５０°）で、縦約１５°、横約１５°の矩形内におさまる略円形の範囲である。
【０１８２】
θ1 が２４０°ツイストで、Δｎ2 ・ｄ2 が１．０４μｍのとき、ねじれ位相差板のねじれ角θ2 と液晶セルのΔｎ1 ・ｄ1 が、ある関係を満たすと、明るく色純度のよい発色が得られる。その関係を図３０に示す。斜線で囲まれる範囲がよい発色が得られるところである。
【０１８３】
図３０には、１つの斜線部が示されている。これは、横軸（θ2 ）、縦軸（Δｎ1 ・ｄ1 ）の座標系で、中心座標がほぼ（１７０〜１７５°，１．０５μｍ  ）で、縦約０．２５μｍ、横約２５°の矩形内におさまる縦長の変形楕円形状の範囲である。
【０１８４】
θ1 が２４０°ツイストで、Δｎ2 ・ｄ2 が１．０４μｍのとき、θ3 とθ4 が、ある関係を満たすと、明るく色純度のよい発色が得られる。その関係を図７に示す。斜線で囲まれる範囲がよい発色が得られるところである。
【０１８５】
図３１には、８つの斜線部が示されている。これらは、横軸（θ4 ）、縦軸（θ3 ）の座標系で、中心座標がほぼ（１０°，１１０°）で、縦約１０°、横約１０°の矩形内におさまる略円形の範囲と、中心座標がほぼ（３０°，１００〜１０５°）で、縦約１５°、横約１５°の矩形内におさまる略右上がりの楕円形状の範囲と、中心座標がほぼ（４０°，９０°）で、縦約２０°、横約２０°の矩形内におさまる円形に近い右上がりの略楕円形状の範囲と、中心座標がほぼ（７０°，８０°）で、縦約２０°、横約２０°の矩形内におさまる円形に近い右上がりの略楕円形状の範囲である。
【０１８６】
さらに、中心座標がほぼ（１００°，１１０°）で、縦約１５°、横約１５〜２０°の矩形内におさまるほぼ円形の範囲と、中心座標がほぼ（１２０°，１００°）で、縦約１０°、横約１０°の矩形内におさまる略円形の範囲と、中心座標がほぼ（１２５〜１３０°，９０°）で、縦約１５°、横約１０°の矩形内におさまる略縦長の楕円形状の範囲と、中心座標がほぼ（１５５°，８０°）で、縦約１５°、横約２０°の矩形内におさまる横長の変形楕円形状の範囲である。
【０１８７】
液晶セルのねじれ角θ1 は、１６０°〜３００°までよいが、特に２３０〜２５０°とされることがよい発色を得るには好ましい。特に、２４０°近傍が好ましい。
【０１８８】
ねじれ位相差板のねじれ角θ2 は、液晶セルのねじれ角θ1 より小さいことがよい。θ2 は各条件によって最適値が異なる。例えば、θ1 が２４０°ツイストで、Δｎ2 ・ｄ2 が０．８４５μｍのとき、θ2 は８０〜１２０°であることがよい。またθ1 が２４０°ツイストで、Δｎ2 ・ｄ2 が１．０４μｍのとき、θ2 は１６０〜１９０°であることがよい。
【０１８９】
図３２〜図４１に例Ｄ１〜Ｄ１０の発色ループを示す色度座標と印加電圧と反射率との関係を示すグラフをそれぞれ示す。
【０１９０】
以上説明したグループＢ〜Ｄの各例においては、マトリックスによって構成される画素のサイズは４００×４００μｍとした。また、反射層側の透明基板の厚みを０．４ｍｍとした。次に、反射を利用してカラー表示を得る本発明における画素サイズと透明基板の厚みについて説明する。
【０１９１】
図４５に反射型カラー液晶表示装置の断面図と光路とを示す。図中のΦは実質的に良好な発色が視認できる開き角の範囲を示す。このΦは実用的な範囲で広い方が好ましい。本発明では少なくとも２０°の角度範囲が得られるようにする。また、図４６に透明基板（光の進行方向の後方に配置されたガラス基板などが用いられる）の厚みＴと画素の線幅と開き角Φとの関係を示す。
【０１９２】
この開き角Φの範囲内で良好な色表示を見ることができる。この開き角よりも大きな範囲では色純度が低下する傾向を示す。近似的に、（反射層側の透明基板の厚みＴ）≦１．４・（画素サイズ）の関係を満足すると良好な発色が得られる。より好ましくは、Ｔ≦１．２・（画素サイズ）とする。さらに、基板の厚みが薄い、Ｔ≦１．０・（画素サイズ）の条件下では高い色純度の表示が得られる。
【０１９３】
【表１】
2004287460.tif 000003
【０１９４】
【表２】
2004287460.tif 000004
【０１９５】
【表３】
2004287460.tif 000005
【０１９６】
【表４】
2004287460.tif 000006
【０１９７】
【表５】
2004287460.tif 000007
【０１９８】
【表６】
2004287460.tif 000008
【０１９９】
【表７】
2004287460.tif 000009
【０２００】
【表８】
2004287460.tif 000010
【０２０１】
【表９】
2004287460.tif 000011
【産業上の利用可能性】
【０２０２】
本発明の液晶表示素子はパーソナルコンピュータ、ワードプロセッサ、魚群探知機、車載用のインスツルメンツパネル、公衆電話の表示、公衆表示装置、行き先案内表示、情報端末機、産業用の情報表示機器（例えば、コピー機の操作パネルにおける動作状態表示（赤をコピー中、枚数を緑表示、線を青表示、背景を白表示とする）または、動力機器の運転表示（背景色を白、運転状態を緑、危険表示を赤とする）など、各種の民生用のドットマトリックス表示装置（オーディオ機器、時計、ゲーム機器、アミューズメント、通信機器、カーナビゲーション、カメラ、ＴＶ電話、電卓の表示）などの表示機能を担う機能要素として使用できる。
【０２０３】
特に、本発明の反射型カラー液晶表示装置は低消費電力で使用できることから、なかでも携帯用の電子機器、例えば、携帯電話、電子手帳、電子ブック、電子辞書、ＰＤＡ（携帯情報端末）、ページャー（ポケットベル）、携帯用パーソナルコンピュータなどに用いた場合に、その高い視認性、表現力と合わせて高い機能性を発揮する。さらに、本発明はその効果を損しない範囲で種々の応用ができる。例えば、視認性に優れるため、タッチパネルや視線制御による液晶装置などにも好ましく採用できる。
【図面の簡単な説明】
【０２０４】
【図１】本発明の基本構成を示す模式図。
【図２】例Ａ１を模式的に表した断面図。
【図３】例Ａ２を模式的に表した断面図。
【図４】例Ａ１における偏光板の吸収軸、第１の液晶セルおよび第２の液晶セルの配向方向との角度関係を示した平面図。
【図５】例Ａ１の電圧に対する色変化を示す色度図。
【図６】例Ａ１の電圧に対する反射率を示すグラフ。
【図７】グループＢ、ＣおよびＤの例における断面を示す模式図。
【図８】グループＢ、ＣおよびＤの各例における角度関係を示す模式図。
【図９】発色のよいθ3 とθ4 の領域を示す模式図。
【図１０】発色のよいΔｎ1 ・ｄ1 とΔｎ2 ・ｄ2 の領域を示す模式図。
【図１１】分図１１ａは例Ｂ１の電圧に対する色変化を示す色度図、分図１１ｂは例Ｂ１の電圧に対する色変化を示すグラフ。
【図１２】分図１２ａは例Ｂ２の電圧に対する色変化を示す色度図、分図１２ｂは例Ｂ２の電圧に対する色変化を示すグラフ。
【図１３】分図１３ａは例Ｂ３の電圧に対する色変化を示す色度図、分図１３ｂは例Ｂ３の電圧に対する色変化を示すグラフ。
【図１４】分図１４ａは例Ｂ４の電圧に対する色変化を示す色度図、分図１４ｂは例Ｂ４の電圧に対する色変化を示すグラフ。
【図１５】分図１５ａは例Ｂ５の電圧に対する色変化を示す色度図、分図１５ｂは例Ｂ５の電圧に対する色変化を示すグラフ。
【図１６】分図１６ａは例Ｂ６の電圧に対する色変化を示す色度図、分図１６ｂは例Ｂ６の電圧に対する色変化を示すグラフ。
【図１７】分図１７ａは例Ｂ７の電圧に対する色変化を示す色度図、分図１７ｂは例Ｂ７の電圧に対する色変化を示すグラフ。
【図１８】公知例の発色ループを示す色度図。
【図１９】分図１９ａは比較例Ｂ０の電圧に対する色変化を示す色度図、分図１９ｂは比較例Ｂ０の電圧に対する色変化を示すグラフ。
【図２０】グループＣにおける発色のよいθ3 とθ4 の領域を示す模式図。
【図２１】グループＣにおける発色のよいΔｎ1 ・ｄ1 とΔｎ2 ・ｄ2 の領域を示す模式図。
【図２２】分図２２ａは例Ｃ１の電圧に対する色変化を示す色度図、分図２２ｂは例Ｃ１の電圧に対する色変化を示すグラフ。
【図２３】分図２３ａは例Ｃ２の電圧に対する色変化を示す色度図、分図２３ｂは例Ｃ２の電圧に対する色変化を示すグラフ。
【図２４】分図２４ａは例Ｃ３の電圧に対する色変化を示す色度図、分図２４ｂは例Ｃ３の電圧に対する色変化を示すグラフ。
【図２５】分図２５ａは例Ｃ４の電圧に対する色変化を示す色度図、分図２５ｂは例Ｃ４の電圧に対する色変化を示すグラフ。
【図２６】分図２６ａは例Ｃ５の電圧に対する色変化を示す色度図、分図２６ｂは例Ｃ５の電圧に対する色変化を示すグラフ。
【図２７】分図２７ａは例Ｃ６の電圧に対する色変化を示す色度図、分図２７ｂは例Ｃ６の電圧に対する色変化を示すグラフ。
【図２８】グループＤ（Δｎ2 ・ｄ2 ＝０．８４５ｕｍ）における発色のよいΔｎ1 ・ｄ1 とθ2 の領域を示す模式図。
【図２９】グループＤ（Δｎ2 ・ｄ2 ＝０．８４５ｕｍ）における発色のよいθ3 とθ4 の領域を示す模式図。
【図３０】グループＤ（Δｎ2 ・ｄ2 ＝１．０４ｕｍ）における発色のよいΔｎ1 ・ｄ1 とθ2 の領域を示す模式図。
【図３１】グループＤ（Δｎ2 ・ｄ2 ＝１．０４ｕｍ）における発色のよいθ3 とθ4 の領域を示す模式図。
【図３２】分図３２ａは例Ｄ１の電圧に対する色変化を示す色度図、分図３２ｂは例Ｄ１の電圧に対する色変化を示すグラフ。
【図３３】分図３３ａは例Ｄ２の電圧に対する色変化を示す色度図、分図３３ｂは例Ｄ２の電圧に対する色変化を示すグラフ。
【図３４】分図３４ａは例Ｄ３の電圧に対する色変化を示す色度図、分図３４ｂは例Ｄ３の電圧に対する色変化を示すグラフ。
【図３５】分図３５ａは例Ｄ４の電圧に対する色変化を示す色度図、分図３５ｂは例Ｄ４の電圧に対する色変化を示すグラフ。
【図３６】分図３６ａは例Ｄ５の電圧に対する色変化を示す色度図、分図３６ｂは例Ｄ５の電圧に対する色変化を示すグラフ。
【図３７】分図３７ａは例Ｄ６の電圧に対する色変化を示す色度図、分図３７ｂは例Ｄ６の電圧に対する色変化を示すグラフ。
【図３８】分図３８ａは例Ｄ７の電圧に対する色変化を示す色度図、分図３８ｂは例Ｄ７の電圧に対する色変化を示すグラフ。
【図３９】分図３９ａは例Ｄ８の電圧に対する色変化を示す色度図、分図３９ｂは例Ｄ８の電圧に対する色変化を示すグラフ。
【図４０】分図４０ａは例Ｄ９の電圧に対する色変化を示す色度図、分図４０ｂは例Ｄ９の電圧に対する色変化を示すグラフ。
【図４１】分図４１ａは例Ｄ１０の電圧に対する色変化を示す色度図、分図４１ｂは例Ｄ１０の電圧に対する色変化を示すグラフ。
【図４２】分図４２ａは例Ｂ８の電圧に対する色変化を示す色度図、分図４２ｂは例Ｂ８の電圧に対する色変化を示すグラフ。
【図４３】分図４３ａは例Ｂ９の電圧に対する色変化を示す色度図、分図４３ｂは例Ｂ９の電圧に対する色変化を示すグラフ。
【図４４】分図４４ａは例Ｂ１０の電圧に対する色変化を示す色度図、分図４４ｂは例Ｂ１０の電圧に対する色変化を示すグラフ。
【図４５】液晶セルの断面と光路を示す模式図。
【図４６】開き角Φと基板の厚みＴとの関係を示すグラフ。
【符号の説明】
【０２０５】
１：偏光板
３：位相差板
６：液晶層
８：反射層
１０：駆動回路
１４：第１の液晶セルの上側の液晶分子配向方向（第１の配向方向）
１５：第１の液晶セルの下側の液晶分子配向方向（第２の配向方向）
１６：位相差板（第２の液晶セル）の第１の光学異方軸
１７：位相差板（第２の液晶セル）の第２の光学異方軸
１８：偏光板の吸収軸
【図１】
2004287460.tif 000012
【図２】
2004287460.tif 000013
【図３】
2004287460.tif 000014
【図４】
2004287460.tif 000015
【図５】
2004287460.tif 000016
【図６】
2004287460.tif 000017
【図７】
2004287460.tif 000018
【図８】
2004287460.tif 000019
【図９】
2004287460.tif 000020
【図１０】
2004287460.tif 000021
【図１１】
2004287460.tif 000022
【図１２】
2004287460.tif 000023
【図１３】
2004287460.tif 000024
【図１４】
2004287460.tif 000025
【図１５】
2004287460.tif 000026
【図１６】
2004287460.tif 000027
【図１７】
2004287460.tif 000028
【図１８】
2004287460.tif 000029
【図１９】
2004287460.tif 000030
【図２０】
2004287460.tif 000031
【図２１】
2004287460.tif 000032
【図２２】
2004287460.tif 000033
【図２３】
2004287460.tif 000034
【図２４】
2004287460.tif 000035
【図２５】
2004287460.tif 000036
【図２６】
2004287460.tif 000037
【図２７】
2004287460.tif 000038
【図２８】
2004287460.tif 000039
【図２９】
2004287460.tif 000040
【図３０】
2004287460.tif 000041
【図３１】
2004287460.tif 000042
【図３２】
2004287460.tif 000043
【図３３】
2004287460.tif 000044
【図３４】
2004287460.tif 000045
【図３５】
2004287460.tif 000046
【図３６】
2004287460.tif 000047
【図３７】
2004287460.tif 000048
【図３８】
2004287460.tif 000049
【図３９】
2004287460.tif 000050
【図４０】
2004287460.tif 000051
【図４１】
2004287460.tif 000052
【図４２】
2004287460.tif 000053
【図４３】
2004287460.tif 000054
【図４４】
2004287460.tif 000055
【図４５】
2004287460.tif 000056
【図４６】
2004287460.tif 000057
【手続補正書】
【提出日】平成16年6月25日(2004.6.25)
【手続補正１】
【補正対象書類名】特許請求の範囲
【補正対象項目名】全文
【補正方法】変更
【補正の内容】
【特許請求の範囲】
【請求項１】
液晶表示装置が備えられた携帯用の電子機器であって、前記液晶表示装置において、
吸収軸を有する１枚の偏光板と反射層との間に、両面に光学異方軸を有し、一方から他方の光学異方軸に対して光学異方軸が回転せしめられてなる１枚の位相差板と、両面に備えられた配向方向によってねじれ角が設定された第１の液晶層とが設けられ、位相差板と第１の液晶層との位置は交互に交換可能であって、光は偏光板を通り、位相差板から第１の液晶層、または第１の液晶層から位相差板を通過し、反射層によって反射せしめられ、逆方向に進行して偏光板から出射せしめられ、
第１の液晶層は旋光性物質を含有した正の誘電異方性のネマチック液晶を有し、第１の液晶層の第１の面側の第１の配向方向から第２の面側の第２の配向方向に対してねじれ角θ1 が設けられ、
位相差板は偏光板側に位置する第１の面における光学異方軸のうちの第１の遅相軸から反対側の第２の面における光学異方軸のうちの第２の遅相軸の方向におけるねじれ角θ2 を有し、
第１の液晶層の屈折率異方性Δｎ1 と第１の液晶層の厚みｄ1 との積Δｎ1 ・ｄ1 が０．３０〜２．００μｍとされ、位相差板の屈折率異方性Δｎ2 と位相差板の厚みｄ2 との積Δｎ2 ・ｄ2 が０．３０〜２．００μｍとされ、
第１の液晶層の第１の配向方向から位相差板の第２の遅相軸に対して角度θ3 が設けられ、位相差板の第１の遅相軸から偏光板の吸収軸とがなす角度θ4 が設けられ、
角度θ1 、θ2 、θ3 、およびθ4 は時計回り方向（＋）または反時計回り方向（−）で、｛角度θ1 は−１６０〜−３００°、角度θ2 は＋１６０〜＋３００°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１６０〜＋３００°、角度θ2 は−１６０〜−３００°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、電圧が印加されないとき、または電圧が低いときに、ほぼ無彩色表示ができる携帯用の電子機器。
【請求項２】
｜角度θ1 ｜は２３０〜２５０°、｜角度θ2 ｜は２３０〜２５０°、０．８≦Δｎ1 ・ｄ1 ≦１．５、およびΔｎ1 ・ｄ1 −０．１５≦Δｎ2 ・ｄ2 ≦Δｎ1 ・ｄ1 ＋０．１５である請求項１に記載の携帯用の電子機器。
【請求項３】
｛角度θ1 は−２３０〜−２５０°、角度θ2 は＋２３０〜＋２５０°、角度θ3 は（＋９０°＋［−１０°〜＋１０°］）、角度θ4 は（＋４５°＋［−２０°〜−１０°］）もしくは（＋１３５°＋［−２０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋２０°〜＋１０°］）もしくは（−１３５°＋［＋２０°〜＋１０°］）｝とされ、１．２５≦Δｎ1 ・ｄ1 ≦１．３５、および１．２５≦Δｎ2 ・ｄ2 ≦１．３５である請求項１に記載の携帯用の電子機器。
【請求項４】
｛角度θ1 は−２３０〜−２５０°、角度θ2 は＋２３０〜＋２５０°、角度θ3 は（＋９０°＋［＋１０°〜＋３０°］）、角度θ4 は（＋４５°＋［＋５°〜＋２５°］）もしくは（＋１３５°＋［＋５°〜＋２５°］）｝または、｛角度θ1 は＋２３０〜＋２５０°、角度θ2 は−２３０〜−２５０°、角度θ3 は（−９０°＋［−１０°〜−３０°］）、角度θ4 は（−４５°＋［−５°〜−２５°］）もしくは（−１３５°＋［−５°〜−２５°］）｝とされ、０．８０≦Δｎ1 ・ｄ1 ≦０．９０、および０．８０≦Δｎ2 ・ｄ2 ≦０．９０である請求項１に記載の携帯用の電子機器。
【請求項５】
｛角度θ1 は−２３０〜−２５０°、角度θ2 は＋２３０〜＋２５０°、角度θ3 は（＋９０°＋［−１０°〜＋１０°］）、角度θ4 は（＋４５°＋［−３０°〜−１０°］）もしくは（＋１３５°＋［−３０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋３０°〜＋１０°］）もしくは（−１３５°＋［＋３０°〜＋１０°］）｝とされ、１．２０≦Δｎ1 ・ｄ1 ≦１．３０、および１．３０≦Δｎ2 ・ｄ2 ≦１．４０である請求項１に記載の携帯用の電子機器。
【請求項６】
｛角度θ1 は−２３０〜−２５０°、角度θ2 は＋２３０〜＋２５０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋２３０〜＋２５０°、角度θ2 は−２３０〜−２５０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、１．２０≦Δｎ1 ・ｄ1 ≦１．５０、および０．７０≦Δｎ2 ・ｄ2 ≦０．９０である請求項１に記載の携帯用の電子機器。
【請求項７】
｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．３０≦Δｎ1 ・ｄ1 ≦２．００、および０．３０≦Δｎ2 ・ｄ2 ≦２．００である請求項１に記載の携帯用の電子機器。
【請求項８】
｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．９０≦Δｎ1 ・ｄ1 ≦１．３０、およびΔｎ1 ・ｄ1 −０．１５≦Δｎ2 ・ｄ2 ≦Δｎ1 ・ｄ1 ＋０．１５である請求項１に記載の携帯用の電子機器。
【請求項９】
｛角度θ1 は−１７０〜−１９０°、角度θ2 は＋１７０〜＋１９０°、角度θ3 は（＋９０°＋［＋１０°〜＋３０°］）、角度θ4 は（＋４５°＋［−２０°〜＋２０°］）もしくは（＋１３５°＋［−２０°〜＋２０°］）｝または、｛角度θ1 は＋１７０〜＋１９０°、角度θ2 は−１７０〜−１９０°、角度θ3 は（−９０°＋［−１０°〜−３０°］）、角度θ4 は（−４５°＋［＋２０°〜−２０°］）もしくは（−１３５°＋［＋２０°〜−２０°］）｝とされ、０．７５≦Δｎ1 ・ｄ1 ≦１．０５、および０．７５≦Δｎ2 ・ｄ2 ≦１．０５である請求項１に記載の携帯用の電子機器。
【請求項１０】
（１０°）2 ≦（｜θ3 ｜−９０°）2 ＋（｜θ4 ｜−４５°）2 、かつ（１０°）2 ≦（｜θ3 ｜−９０°）2 ＋（｜θ4 ｜−１３５°）2 の関係が満たされる請求項１〜９のいずれか１項に記載の携帯用の電子機器。
【請求項１１】
前記液晶表示装置において、マルチプレックス駆動によって、３値以上の電圧値が選択されて第１の液晶セルに電圧が印加され、カラーを表示することができる請求項１〜１０のいずれか１項に記載の携帯用の電子機器。
【手続補正２】
【補正対象書類名】明細書
【補正対象項目名】全文
【補正方法】変更
【補正の内容】
【発明の詳細な説明】
【技術分野】
【０００１】
本発明は、偏光板を１枚備えた液晶表示素子を用いて無彩色表示を行うことができる液晶表示装置が備えられた携帯用の電子機器に関する。
【背景技術】
【０００２】
従来、両電極間の液晶分子のツイスト角を大きくして、鋭い電圧−透過率変化を起こし、高密度のドットマトリックス表示をする方法として、非特許文献１に記載されたスーパーツイスト素子が知られていた。
【０００３】
しかし、この方法は特許文献１によると、用いる液晶表示素子の液晶の複屈折率Δｎと液晶層の厚みｄとの積Δｎ・ｄの値が実質的に０．８〜１．２μｍの間に設けられていた。そして、表示色としては黄緑色と暗青色、青紫色と淡黄色など、特定の色相の組み合わせでのみ良好なコントラストが得られていた。このように、このＳＴＮ液晶表示素子では白黒表示ができないことが欠点であった。
【０００４】
そこで、非特許文献２において、白黒表示が可能でかつコントラストの高い液晶表示装置として、互いに逆螺旋の液晶セルを２層積層し、一方のセルにのみ電圧を印加し、他方の液晶セルを単なる光学的な補償板として使用する方法が提案された。
【０００５】
また、液晶層と偏光板の間に複屈折板を配置することにより、白黒表示を可能にする方法も提案された。従来、パーソナルコンピュータなどのＯＡ機器に用いられるカラー液晶表示装置は、前述した白黒表示が可能な液晶表示装置とカラーフィルタとが組み合わされて実用化されている。
【０００６】
ところがカラーフィルタは高価であり、かつ赤、青、緑の３画素で表示をするために光利用効率が著しく低い。例えば、白を表示するために、赤、青、緑の３画素をオン状態にしたとしても明るさは１／３となってしまうため、暗い表示しかできない。したがって、カラーフィルタを用いない明るいカラー表示装置としていくつかの手法が提案された。
【０００７】
例えば、複屈折制御（ＥＣＢ）効果型の液晶表示装置がある。この液晶表示素子は、階調電圧（例えば８階調の電圧）を画素に印加すると、印加された階調電圧に応じて液晶分子の配向が変化し、これにともなって液晶セルのΔｎ・ｄが変化する。そして、複屈折にともなう様々な色相変化を用いて発色を得る。
【０００８】
しかし、このＥＣＢ効果型の液晶表示装置は、液晶がツイストされていないため、印加電圧に応じた液晶の状態変化が小さくなり、マルチプレックス駆動ができないという問題があった。
【０００９】
特許文献２には、ツイストした液晶セルにおいて印加電圧を変化させることにより様々な色相変化が可能であることが示されている。しかし、この特許文献２の場合は、その発色は黄、赤、紫、青紫、青緑、緑であり、無彩色である黒または白を表示することはできないという課題を残している。なぜならば、黒または白の表示が欠けた表示手法の視認性は大きく低下することが一般に知られているからである。
【００１０】
表示において、視認すべきデータ部に対して、背景部は広い面積を通常占めている。背景部の色として、例えば黄色または緑色の表示を用いると全体的に落ち着きのある表示を得ることが難しくなる。そのため、グラフを表示するとき等、背景色の色として白または黒の無彩色が選ばれることが多い。
【００１１】
表示の基本は紙に記した文字のように、白地の上に黒の線図の表現が基本的である。この形態が通常求められている。本来、白と黒とを表示し、さらに青または緑または赤が表示できることが好ましい。したがって、白または黒の表示が得られない表示装置は視認性に大きく欠けることになる。
【００１２】
また、この特許文献２では、補償セルを用いて２層にすることにより白黒表示が可能であることが示されている。しかし、色を出すときに補償セルに電圧を印加し、補償セルが光学的に存在しないような状態におくことによって発色を達成している。よって、マルチプレックス駆動を行ったとき、白または黒と、青や緑などの色を混在させることができないという問題がある。
【００１３】
特許文献３では、補償セル側にも画素を形成し、表示を行う。この２層液晶セルの各表示を組み合わせてマルチプレックス駆動を行ったとき、白または黒と、青や緑などの色を混在させうるとしている。しかし、２層の液晶セルは両者の各画素を１画素ずつ対応させて形成しなければならない。これは製造が困難になることと、斜めから見た場合の視差が生じて色がにじんで見えてしまうという欠点がある。
【００１４】
これでは実用に供することのできる表示品質がなかなか得られない。また、２層であるために重いという欠点もあり、液晶セルのギャップを制御することが難しく、歩留がさらに低下することなどの欠点が生ずる。
【００１５】
特許文献４には、位相差板を用いることにより色を改善できると示されている。しかし、無彩色（白または黒）を出すことまでは開示されていない。
【００１６】
特許文献５の実施例では、青、緑、白、赤の表示が可能であると示されている。しかし、印加電圧が低いときには青の表示色となり、印加電圧を大きくしたときに白が発色するようになっている。そのため、格子状のマトリックス駆動を行った場合、駆動電極の線間が青色であると、画素が白でも、全体的に青い表示となってしまい、色純度の良い白を発色させることが難しいという問題が起こる。
【００１７】
つまり、上述したように、液晶表示素子のマトリックス表示の線間は無彩色であることが好ましい。そして、電圧が印加されていないときに、ほぼ無彩色であることが望ましい。また、中間調の電圧で無彩色を出すようにすると、中間電圧での液晶状態は電圧の僅かな変化に対しても急峻な変化をするような状態なので、全体の無彩色表示を行うときに、僅かな電圧変動に対して発色が変化してしまい、綺麗な無彩色表示ができない。
【００１８】
これは、中間電圧である色を全体に表示するときにも同様なことがいえる。しかし、一般に背景色には無彩色が用いられることが多く、無彩色は大きな面積を占めることとなる。この大きな面積を占める色が色むらを起こすと表示としての美しさが大きく低下する。均一な色を出すには無彩色が中間電圧で発色されることを回避することが望ましい。
【００１９】
以上のような課題を考慮すると、電圧が印加されていないとき、またはマルチプレックス駆動を行ったときのオフ波形（非選択波形）の際に無彩色の表示が得られることが好ましい。
【００２０】
また、特許文献５の実施例５では、白、青、緑の表示が可能であることが示されている。しかし、白を発色する印加電圧が０．２Ｖ以下であり、青を発色する印加電圧が１．３〜２．２Ｖであり、緑を発色する印加電圧が３．０Ｖ以上である。これは明らかにマルチプレックス駆動（時分割駆動）が困難な素子設計となっている。このような駆動電圧は特定用途以外で用いることが難しい。
【００２１】
特許文献６の実施例６では、０．９Ｖまたは１．６Ｖ以下において白表示が可能であると示されている。しかし、これも緑や赤や青の表示を行う場合、マルチプレックス駆動したときにデユーティ比を大きくすることができない。
【００２２】
特許文献７の実施例では、オフ波形で白表示できると示されている。しかし、この特許文献７では赤の表示が得られてはいない。以上は偏光板がセルの両面にある場合の公知例を示した。よって、上述した公知例では、どれも光の透過率が低く暗いことになる。さらに、反射型モードとして用いると反射層で損失する分だけ光量が低くなって、もっと暗い表示となる。
【００２３】
特許文献８の実施例では、偏光板を１枚のみ用いて、カラー表示を可能としている。その実施例において、電圧無印加時は白色、その後電圧を大きくするにしたがい、白→黄→青→黄→青→緑と変化することが示されている。しかし、電圧が低い時に（白からすぐに黄色や青に変化した電圧の時）、純度の良い発色を得られず、電圧を大きくすることにより純度の良い発色が得られていることを示している。
【００２４】
また、特許文献８では赤の発色が得られていない。また、電圧の低いとき純度の良い発色を得られないことから、マルチプレックス駆動に適しないなどの問題がある。
【００２５】
この特許文献８に用いられている構成は、色制御用液晶セルのツイスト角とΔｎ・ｄは、表示用液晶セルのツイスト角とΔｎ・ｄにほぼ同等とする。色制御用液晶セルのツイスト方向は、表示用液晶セルのツイスト方向と逆である。また、表示用液晶セルと、色制御用液晶セルの互いに近接する表面の液晶分子の配向方向の交差角がほぼ９０°とする。さらに、偏光板の偏光軸は、近接される液晶分子の配向方向と、ほぼ４５°±５°の交差角とするとよいと述べられている。
【００２６】
また、特許文献９においては、補償セルをねじれ位相差板にすることが記載されている。しかし、その構成は特許文献８と基本的に同じであり、発色にまだ問題がある。
【００２７】
【特許文献１】特開昭６０−１０７２０号公報
【特許文献２】特開平２−１１８５１６号公報
【特許文献３】特開平２−１８３２２０号公報
【特許文献４】特開平６−１７５１２５号公報
【特許文献５】特開平６−３０１００６号公報
【特許文献６】特開平６−３０１０２６号公報
【特許文献７】特開平６−３３７３９７号公報
【特許文献８】特開平６−３０８４８３号公報
【特許文献９】特開平７−５４５７号公報
【非特許文献１】T.J.Scheffer and J.Nehring, Appl.Phys.Lett.45(10)1021−1023(1984)
【非特許文献２】奥村ほか、テレビジョン学会技術報告、11(27)79(1987)
【発明の開示】
【発明が解決しようとする課題】
【００２８】
【００２９】
本発明は上記内容を鑑みて、その目的とするところは、カラーフィルタを用いずに、マルチプレックス駆動が可能で、電圧を印加されないとき、または電圧が低いときに、非常に明るいほぼ無彩色表示ができる反射型の液晶表示装置が備えられた携帯用の電子機器を提供することである。
【課題を解決するための手段】
【００３０】
本発明の基本的な構成は、吸収軸を有する１枚の偏光板と反射層との間に、両面に光学異方軸を有し、一方から他方の光学異方軸に対して光学異方軸が回転せしめられてなる１枚の位相差板と、両面に備えられた配向方向によってねじれ角が設定された１つの液晶層とが設けられ、位相差板と液晶層との位置は交互に交換可能であって、光は偏光板を通り、位相差板から液晶層、または液晶層から位相差板を通過し、反射層によって反射せしめられ、逆方向に進行して偏光板から出射せしめられる。
【００３１】
この際に、液晶層に印加される駆動電圧の実効的な３値以上の電圧値によって、無彩色を含むカラー表示が得られるように設けられる。
【００３２】
角度の表記として、＋方向は時計回りを、−方向は反時計回りを示すこととする。本発明の角度関係を図１、図４などに示す。
【００３３】
請求項１の発明は、液晶表示装置が備えられた携帯用の電子機器であって、前記液晶表示装置において、
吸収軸を有する１枚の偏光板と反射層との間に、両面に光学異方軸を有し、一方から他方の光学異方軸に対して光学異方軸が回転せしめられてなる１枚の位相差板と、両面に備えられた配向方向によってねじれ角が設定された第１の液晶層とが設けられ、位相差板と第１の液晶層との位置は交互に交換可能であって、光は偏光板を通り、位相差板から第１の液晶層、または第１の液晶層から位相差板を通過し、反射層によって反射せしめられ、逆方向に進行して偏光板から出射せしめられ、
第１の液晶層は旋光性物質を含有した正の誘電異方性のネマチック液晶を有し、第１の液晶層の第１の面側の第１の配向方向から第２の面側の第２の配向方向に対してねじれ角θ1 が設けられ、
位相差板は偏光板側に位置する第１の面における光学異方軸のうちの第１の遅相軸から反対側の第２の面における光学異方軸のうちの第２の遅相軸の方向におけるねじれ角θ2 を有し、
第１の液晶層の屈折率異方性Δｎ1 と第１の液晶層の厚みｄ1 との積Δｎ1 ・ｄ1 が０．３０〜２．００μｍとされ、位相差板の屈折率異方性Δｎ2 と位相差板の厚みｄ2 との積Δｎ2 ・ｄ2 が０．３０〜２．００μｍとされ、
第１の液晶層の第１の配向方向から位相差板の第２の遅相軸に対して角度θ3 が設けられ、位相差板の第１の遅相軸から偏光板の吸収軸とがなす角度θ4 が設けられ、
角度θ1 、θ2 、θ3 、およびθ4 は時計回り方向（＋）または反時計回り方向（−）で、｛角度θ1 は−１６０〜−３００°、角度θ2 は＋１６０〜＋３００°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１６０〜＋３００°、角度θ2 は−１６０〜−３００°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、電圧が印加されないとき、または電圧が低いときに、ほぼ無彩色表示ができる携帯用の電子機器を提供する。
【００３４】
請求項２の発明は、｜角度θ1 ｜は２３０〜２５０°、｜角度θ2 ｜は２３０〜２５０°、０．８≦Δｎ1 ・ｄ1 ≦１．５、およびΔｎ1 ・ｄ1 −０．１５≦Δｎ2 ・ｄ2 ≦Δｎ1 ・ｄ1 ＋０．１５である請求項１に記載の携帯用の電子機器を提供する。
【００３５】
請求項３の発明は、｛角度θ1 は−２３０〜−２５０°、角度θ2 は＋２３０〜＋２５０°、角度θ3 は（＋９０°＋［−１０°〜＋１０°］）、角度θ4 は（＋４５°＋［−２０°〜−１０°］）もしくは（＋１３５°＋［−２０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋２０°〜＋１０°］）もしくは（−１３５°＋［＋２０°〜＋１０°］）｝とされ、１．２５≦Δｎ1 ・ｄ1 ≦１．３５、および１．２５≦Δｎ2 ・ｄ2 ≦１．３５である請求項１に記載の携帯用の電子機器を提供する。
【００３６】
請求項４の発明は、｛角度θ1 は−２３０〜−２５０°、角度θ2 は＋２３０〜＋２５０°、角度θ3 は（＋９０°＋［＋１０°〜＋３０°］）、角度θ4 は（＋４５°＋［＋５°〜＋２５°］）もしくは（＋１３５°＋［＋５°〜＋２５°］）｝または、｛角度θ1 は＋２３０〜＋２５０°、角度θ2 は−２３０〜−２５０°、角度θ3 は（−９０°＋［−１０°〜−３０°］）、角度θ4 は（−４５°＋［−５°〜−２５°］）もしくは（−１３５°＋［−５°〜−２５°］）｝とされ、０．８０≦Δｎ1 ・ｄ1 ≦０．９０、および０．８０≦Δｎ2 ・ｄ2 ≦０．９０である請求項１に記載の携帯用の電子機器を提供する。
【００３７】
請求項５の発明は、｛角度θ1 は−２３０〜−２５０°、角度θ2 は＋２３０〜＋２５０°、角度θ3 は（＋９０°＋［−１０°〜＋１０°］）、角度θ4 は（＋４５°＋［−３０°〜−１０°］）もしくは（＋１３５°＋［−３０°〜−１０°］）｝または、｛角度θ1 は＋２３０〜＋２５０°、角度θ2 は−２３０〜−２５０°、角度θ3 は（−９０°＋［＋１０°〜−１０°］）、角度θ4 は（−４５°＋［＋３０°〜＋１０°］）もしくは（−１３５°＋［＋３０°〜＋１０°］）｝とされ、１．２０≦Δｎ1 ・ｄ1 ≦１．３０、および１．３０≦Δｎ2 ・ｄ2 ≦１．４０である請求項１に記載の携帯用の電子機器を提供する。
【００３８】
請求項６の発明は、｛角度θ1 は−２３０〜−２５０°、角度θ2 は＋２３０〜＋２５０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋２３０〜＋２５０°、角度θ2 は−２３０〜−２５０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、１．２０≦Δｎ1 ・ｄ1 ≦１．５０、および０．７０≦Δｎ2 ・ｄ2 ≦０．９０である請求項１に記載の携帯用の電子機器を提供する。
【００３９】
請求項７の発明は、｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．３０≦Δｎ1 ・ｄ1 ≦２．００、および０．３０≦Δｎ2 ・ｄ2 ≦２．００である請求項１に記載の携帯用の電子機器を提供する。
【００４０】
請求項８の発明は、｛角度θ1 は−１７０〜−１９０°、角度θ2 は＋１７０〜＋１９０°、角度θ3 は（＋９０°＋［−１０°〜＋４０°］）、角度θ4 は（＋４５°＋［−３０°〜＋２５°］）もしくは（＋１３５°＋［−３０°〜＋２５°］）｝または、｛角度θ1 は＋１７０〜＋１９０°、角度θ2 は−１７０〜−１９０°、角度θ3 は（−９０°＋［＋１０°〜−４０°］）、角度θ4 は（−４５°＋［＋３０°〜−２５°］）もしくは（−１３５°＋［＋３０°〜−２５°］）｝とされ、０．９０≦Δｎ1 ・ｄ1 ≦１．３０、およびΔｎ1 ・ｄ1 −０．１５≦Δｎ2 ・ｄ2 ≦Δｎ1 ・ｄ1 ＋０．１５である請求項１に記載の携帯用の電子機器を提供する。
【００４１】
請求項９の発明は、｛角度θ1 は−１７０〜−１９０°、角度θ2 は＋１７０〜＋１９０°、角度θ3 は（＋９０°＋［＋１０°〜＋３０°］）、角度θ4 は（＋４５°＋［−２０°〜＋２０°］）もしくは（＋１３５°＋［−２０°〜＋２０°］）｝または、｛角度θ1 は＋１７０〜＋１９０°、角度θ2 は−１７０〜−１９０°、角度θ3 は（−９０°＋［−１０°〜−３０°］）、角度θ4 は（−４５°＋［＋２０°〜−２０°］）もしくは（−１３５°＋［＋２０°〜−２０°］）｝とされ、０．７５≦Δｎ1 ・ｄ1 ≦１．０５、および０．７５≦Δｎ2 ・ｄ2 ≦１．０５である請求項１に記載の携帯用の電子機器を提供する。
【００４２】
請求項１０の発明は、（１０°）2 ≦（｜θ3 ｜−９０°）2 ＋（｜θ4 ｜−４５°）2 、かつ（１０°）2 ≦（｜θ3 ｜−９０°）2 ＋（｜θ4 ｜−１３５°）2 の関係が満たされる請求項１〜９のいずれか１項に記載の携帯用の電子機器を提供する。
【００４３】
また、上記の各請求項の液晶表示装置において、マルチプレックス駆動によって、３値以上の電圧値が選択されて第１の液晶セルに電圧が印加され、カラーを表示することができる携帯用の電子機器を提供する。
【００４４】
また、上記の各請求項のいずれかの発明において、マルチプレックス駆動の非選択波形のときに白表示が行われ、選択波形または選択波形と非選択波形の中間の電圧が印加されたときに、青表示または緑表示または赤表示の発色が行われる携帯用の電子機器を提供する。
【００４５】
また、上記の各請求項のいずれかの発明において、マルチプレックス駆動の非選択波形のときに白表示が行われ、選択波形または選択波形と非選択波形の中間の電圧が印加されたときに、電圧の低い方から高い方にしたがって、赤表示、青表示、緑表示の発色が行われる携帯用の電子機器を提供する。
【００４６】
また、上記の各請求項のいずれかの発明において、マルチプレックス駆動によって、４値以上の電圧値が選択される携帯用の電子機器を提供する。
【００４７】
また、上記のマルチプレックス駆動が用いられた携帯用の電子機器のいずれかの発明において、Ｎ回のフレームを周期とし、Ｎ回のフレーム周期のうち、オン波形を出力する回数がＭとされ、オフ波形を出力する回数が（Ｎ−Ｍ）回とされてなることを特徴とする携帯用の電子機器を提供する。
【００４８】
この際に、Ｍ＝０のときに白表示、Ｍ＝Ｎのときに緑表示、Ｍ≠０かつＭ≠Ｎのときに赤表示または青表示が行われることを特徴とする携帯用の電子機器を提供する。また、Ｎに対するＭの設定により階調電圧を発生させ、色表示が行われる携帯用の電子機器を提供する。
【００４９】
また、上記の各マルチプレックス駆動が用いられたいずれかの発明において、マルチプレックス駆動のデューティ比が１／３２以上である携帯用の電子機器を提供する。より多くの情報をカラー表示で提供できるので好ましい。
【００５０】
また、上記の各請求項のいずれかの発明において、電極が行と列のマトリックス状に設けられ、複数の行電極が同時に選択されて駆動される携帯用の電子機器を提供する。また、本発明の好ましい態様においては、反射層が液晶層を駆動する電極を兼用してなる。
【００５１】
また、上記の各請求項のいずれかの発明において、赤表示がＣＩＥ  １９３１色度図で０．３３≦Ｘの領域の発色を含む携帯用の電子機器を提供する。
【００５２】
また、上記の各請求項のいずれかの発明において、白表示がＣＩＥ  １９３１色度図で０．３≦Ｘ＜０．３３、かつ、０．３＜Ｙ＜０．３４の領域の発色を含む携帯用の電子機器を提供する。
【００５３】
また、上記の各請求項のいずれかの発明において、青表示がＣＩＥ  １９３１色度図でＸ≦０．３１、かつ、Ｙ≦０．３０の領域の発色を含む携帯用の電子機器を提供する。
【００５４】
また、上記の各請求項のいずれかの発明において、緑表示がＣＩＥ  １９３１色度図でＸ≦０．３０、かつ、０．３０≦Ｙの領域の発色を含む携帯用の電子機器を提供する。
【００５５】
本発明のうちで、角度θ1 、θ2 を１７５〜１８５°とする構成は一般の白黒ＳＴＮでは通常用いられていない構成である。
【発明の効果】
【００５６】
本発明により、カラーフィルタを用いずに、一画素で、電圧が印加されないとき、または電圧が低いときにほぼ無彩色表示ができ、かつ電圧を印加することにより赤または青または緑のカラー表示ができる携帯用の電子機器を実現できた。また、カラーフィルタを液晶セル内部に形成する必要がないために、液晶セルのセルギャップ制御が容易になった。また、歩留が向上し、生産性を向上することができた。
【００５７】
そして、低消費電力で明るく携帯に適した携帯用の電子機器が可能となった。偏光板が１枚であるので光の損失が少なく表示に寄与する光量が大きく増大した。
【００５８】
また、Ａｇ反射膜を用いた場合、反射率がＡｌよりも約２０％よいのでさらに光の利用効率が改善された。ＡｇとＡｌでは反射の際の波長依存性が異なり、一般に銀の反射は青色の波長域の反射率が低く、反射光は黄色っぽくなる。色度図上で液晶セルの表示が全体的に青色側に寄った使用にすることで総合の表示特性が改善され、明るく色純度のよい表示が得られた。
【発明を実施するための最良の形態】
【００５９】
本発明において、第１の液晶層が表示データを駆動する能動的な光学層として機能する。基本的には両側に透明電極および配向制御膜が備えられた液晶セルである。裏面側の反射層と電極とを兼用する場合には、偏光板側のみ透明電極とする。また、電極は通常ストライプ状のマトリックス構成とされるが、種々の図形状にパターン化されていてもよい。
【００６０】
本発明において、位相差板とは、一方の面から他方の面に光が通過する際に光の位相が大きく変化するものを用い、複屈折板などとも呼ばれる。通常のＴＮ液晶セルと同様に、１６０〜３００°のねじれ角を有する。この位相差板としてはツイスト配向された液晶セルそのもの（第２の液晶層）、ねじれ位相差板、または位相差フィルムの積層体を使用できる。つまり、液晶表示セルとその補償セルという２つの光学媒体の組み合わせで構成する。位相差板が第１の液晶層と偏光板との間に配置されてなることが好ましい。
【００６１】
通常の位相差板はポリカーボネートなどの透明プラスチックフィルムを精度よく１軸延伸して形成される。その光学異方軸を１枚毎に徐々にずらし、複数枚を積層してねじれ位相差板として使用できる。
【００６２】
また、ねじれ位相差板は、光学的に異方性を持った層を、その光学異方軸が連続的にツイストするように多層重ね合わせたものと同等の特性を有する位相差板である。一般には配向規制力を持った２枚の基板間に、ねじれ特性を有する液晶高分子を挟み、硬化させたものである。
【００６３】
温度によってΔｎ・ｄが変化する温度補償位相差板を用いると使用温度域が広がるのでより好ましい。周囲温度が変化しても、色の発色が低下せず良好な携帯用の電子機器を提供できる。この場合、温度によって変化するΔｎ・ｄは、液晶が温度によって変化するΔｎ・ｄとほぼ同等であるように設けるのが望ましい。
【００６４】
波長による光学異方性の分散を変えたねじれ位相差板を用いることも好ましい。これにより色純度をさらに改良できる。
【００６５】
従来から、一対の偏光板の間に液晶層を持つ液晶セルを挟み白黒化するために、二つの液晶セルを用い、第１の液晶層を補償するように第２の液晶層を用いる方法が知られている。
【００６６】
そのときに用いられる最適条件は、第２の液晶層のツイスト角とΔｎ・ｄは、第１の液晶層のツイスト角とΔｎ・ｄにほぼ同等であり、第２の液晶層のツイスト方向は、第１の液晶層のツイスト方向と逆である。また、第１の液晶層の表面の液晶分子の配向方向（第２の液晶層側）と、第２の液晶セルの表面の液晶分子の配向方向（第１の液晶層側）との交差角がほぼ９０°とされる。さらに、偏光板の偏光軸は、それぞれ近設される第１の液晶層または第２の液晶層の偏光板側の表面の液晶分子の配向方向と、ほぼ４５°の交差角を有するように設けられる。
【００６７】
このような構成条件で、反射層側の偏光板を無くしただけであると、電圧が低いとき、または無印加のとき、明るい無彩色の透過状態が得られる。
【００６８】
しかし、印加電圧を上げるにしたがい、白→黄→青→黄→青→緑の表示が得られる。これは、特許文献８の実施例で示されている発明と同等の色変化をするのみである。つまりかなり淡い色変化しかできないか、または赤を発色することができない。
【００６９】
ところが、本発明においては、第１の液晶セルの表面の液晶分子の配向方向と（第２の液晶セル側）と、第２の液晶セルの表面の液晶分子の配向方向（第１の液晶セル側）との交差角を、＋９０°から−１０〜＋４０°、狭い範囲においては＋１０〜＋３０°の範囲でずらすようにする。好ましくは、＋１５〜＋２５°、特に、＋２０°程度ずらして設けるようにすることにより、電圧無印加または非選択状態で明るい無彩色の透過状態が得られる。
【００７０】
具体的に説明すると、液晶層では第１の配向方向から第２の配向方向へ反時計回りに回転し、位相差板の液晶層側における光学異方軸から反液晶層側の光学異方軸へ時計回りに回転する場合、位相差板の液晶層側の面における光学異方軸から第１の配向方向への回転は反時計回りに１００〜１２０°である。そして、電圧を増大させるにつれ、赤、青、緑のカラー表示を可能となしうる。このときの無彩色は明るく、かつ赤、青、緑も良好な色を発色させることが可能となる。
【００７１】
従来の補償セルを用いて白黒を出すための条件に対して、交差角をずらして設けることを述べたが、この他にもねじれ角、Δｎ・ｄ、波長分散を変更することで同様の効果が得られる。
【００７２】
温度によってΔｎ・ｄが変化する温度補償位相差板を用いることにより、周囲温度が変化しても、表示が安定して見やすい携帯用の電子機器を提供できる。この場合、温度によって変化するΔｎ・ｄは、液晶が温度によって変化するΔｎ・ｄとほぼ同等であるように設ける。また、波長による光学異方性の分散を換えたねじれ位相差板を用いることも好ましい。これにより、色純度をさらに改良した携帯用の電子機器を提供する。
【００７３】
本発明において、白表示（Ｗ）とは色度座標において、０．３≦Ｘ＜０．３３、かつ、０．３＜Ｙ＜０．３４、赤表示（Ｒ）は０．３３≦Ｘ、青表示（Ｂ）はＸ≦０．３１、かつＹ≦０．３、緑表示はＸ≦０．３０、かつ、０．３≦Ｙの領域の発色を示すものとする。本発明においては、それぞれの色領域を発色することができるように設けられている。もちろん、境界領域を若干ずらして設定して用いることもできるが、各色領域の主たる発色が境界領域以外のより色純度の高い部分の発色を用いていればよい。
【００７４】
本発明において、カラー発色させる際の、よい発色の定義をさらに述べる。白表示（Ｗ）とは色度座標において、ｘ＝０．３１、ｙ＝０．３１６に近いこと、反射率が４０％以上あること、赤表示（Ｒ）はｘ＝０．５、ｙ＝０．３の色座標に近いこと、反射率が２５％以上あること、青表示（Ｂ）はｘ＝０．１５、ｙ＝０．１の色座標に近いこと、反射率が２０％以下であること、緑表示はｘ＝０．２、ｙ＝０．４の色座標に近いことと考えている。なお、色の測定にはミノルタ社のＣＲ−２００を用いた。
【００７５】
さらに、本発明について具体的に説明を進める。本発明において、両電極間での第１の液晶セルの液晶分子のツイスト角を１６０〜３００°とすればよい。これは、１６０°未満では急峻な透過率変化が必要とされる高デューティ比での時分割駆動をした際の液晶の状態変化が少なく、３００°超ではヒステリシスや光を散乱するドメインを生じやすいためである。
【００７６】
また、液晶層の液晶の屈折率異方性（Δｎ1 ）とその液晶層の厚み（ｄ1 ）との積Δｎ1 ・ｄ1 が０．３０〜２．００μｍとされる。これは、０．３０μｍ未満では、電圧を印加したときの液晶の状態変化が小さいこと、２．００μｍ超では、視角や応答性が悪くなるからである。
【００７７】
特に、無彩色の発色を可能とし、電圧に対する色変化を大きくするために、液晶のねじれ角は１７０〜１９０°、または２３０〜２５０°とされることが好ましい。特に、１８０°または２４０°近傍が好ましい。高デューティ比でのマルチプレックス駆動を行う場合は２４０°のものが好ましい。なお、このΔｎ1 ・ｄ1 の範囲は、その液晶表示素子の使用温度範囲内で満足されるようにされることが好ましく、使用温度範囲内で美しい表示が得られる。
【００７８】
もっとも室外使用を目的とした性能要求のために、使用温度範囲内の一部でのみ、この関係を満足するようにされることもある。この場合には、Δｎ1 ・ｄ1 の範囲が上記範囲から外れる温度範囲では、表示の色が所望のものから外れたり、視野角特性が低下したりすることになる。
【００７９】
あるいは、或る色を発生させる駆動電圧が温度によって変化するため、温度変化に対応して駆動電圧が変化するように、温度補償回路が設置されていることが使いやすい装置となる。発色に対応する駆動電圧が温度に対してほぼ線形に変化する場合、温度に対して線形に駆動電圧が変化するように設定すればよい。
【００８０】
携帯用の電子機器に用いる液晶表示装置において、発色の駆動電圧幅は狭い。よって、カラー表示を行う場合の電子機器の使用者が自分で駆動電圧を調整できるように、調整つまみが設けられていると使いやすい電子機器となる。
【００８１】
次に、液晶セルの構造について説明する。第１の液晶セルの形成は、所望のパターンにパターニングをしたＩＴＯ（Ｉｎ2 Ｏ3 −ＳｎＯ2 ）、ＳｎＯ2 等の透明電極を設けたプラスチック、ガラス等の基板の表面にポリイミド、ポリアミド等の膜を設け、この表面をラビングしたり、ＳｉＯ等を斜め蒸着したりして配向制御膜を形成した透明電極付きの基板の間に、前記した誘電率異方性が正のネマチック液晶による１６０〜３００°ねじれた液晶層を挟持するように設ける。
【００８２】
この代表的な例としては、多数の行列状の電極が形成されたドットマトリックス液晶表示素子があり、一方の基板に６４０本のストライプ状の電極が形成され、他方の基板にこれに直交するように４００本のストライプ状の電極が形成され、６４０×４００ドットのような表示がなされる。通常、ドットを形成するひとつの画素の寸法は２７０μｍ×２７０μｍ程度であり、画素間の間隙は３０μｍ程度である。
【００８３】
なお、電極と配向制御膜との間に基板間短絡防止のためにＴｉＯ2 、ＳｉＯ2 、Ａｌ2 Ｏ3 等の絶縁膜を設けたり、透明電極にＡｌ、Ｃｒ、Ｔｉ等の低抵抗のリード電極を併設したりしてもよい。端辺はシール材で固定することにより、第１の液晶セルを作製する。
【００８４】
同様にガラス基板に、ポリイミドの薄膜を形成し、布によりラビングすることにより、配向制御膜を形成する。この基板を重ね合わせ、その中に液晶を入れ、端辺をシール材で固定することにより、第２の液晶セルを形成する。
【００８５】
第１の液晶セルと第２の液晶セルとは重ね合わせられ、積層された２層の液晶セルの片側に偏光板が配置される。この偏光板自体は液晶セルを構成する基板の外側に配置することが一般的である。なお、所望の光学性能の範囲内で、構造を簡易化し、生産性を向上するために、基板自体を偏光板で構成したり、基板と電極との間に偏光層を設けてもよい。
【００８６】
第１の液晶セルと第２の液晶セルへ重ね合わした偏光板に対して反対側の位置に、反射層を配置する。この反射層は凸凹された表面にＡｌを蒸着した物体を用いてもよい。また、Ａｌ以外に、Ａｇ、Ｃｒ、Ｎｉ、Ａｕ、Ｗなどの金属を用いてもよい。また、ＡｌやＡｇ、Ｃｒ、Ｎｉ、Ａｕ、Ｗ等の薄膜の表面を凹凸に粗して用いてもよい。
【００８７】
なお、金属表面を凹凸に形成しても光はその偏光状態をほぼ維持したまま反射される。これは紙などの場合のように、偏光の反射がほとんどランダムになってしまうこととは異なる。したがって、液晶層を通過した光は金属の反射層によって、偏光状態が変化せずにほぼそのまま反射され、再び液晶層を通過する。
【００８８】
また、第２の液晶セルを上述したようなセル構造とせずに同等の光学的特性を有する位相差板とすることができる。特性的に同等なねじれ位相差板を用いてもよい。特性的に同等とは、光がある面から入射したとき、反対側の面から出射してくる光の偏光状態が同じであることを示す。
【００８９】
ねじれ位相差板は、光学的異方性を持つ分子を厚み方向にツイストさせて形成されたものである。分子のねじれ角、分子の持つΔｎ・ｄの大きさ、ねじれ方向がほぼ同じであれば、特性的に第２の液晶セルとほぼ同じものが形成できる。ねじれ位相差板を用いた場合、第２の液晶セルと同様に第１の液晶セルの基板の外側に配置しなくても、第１の液晶セルの液晶層と基板の間に挟んでもよい。
【００９０】
本発明では液晶表示装置を実際に作成するとともに液晶デバイスシミュレータを用いた。それは液晶の光学計算に広く用いられているバールマン（Berreman）の４×４マトリックス法という計算手法である。液晶層と補償セル（位相差板）の各Δｎ・ｄや、偏光板との間の相互の交差角に関する条件と光学特性（色の発色）の関係について計算を行った。
【００９１】
この計算手法では、最初に液晶の印加電圧に対する配向状態を計算する。次に、液晶、補償フィルム、偏光板等の光学部材を適当な厚みの層に分割し、その分割した層ごとに局所伝播マトリックス（local propagation matrix）を計算する。その後、各層の局所伝播マトリックスを掛け合わせ、光学部材全体の伝播マトリックス（propagation matrix）を計算する。最後に、その伝播マトリックスを用いて入射光に対する反射光および透過光を計算する。
【００９２】
この４×４マトリックス法を用いることにより各波長毎の透過率および反射率を計算できる。視感透過率および視感反射率を計算できるだけでなく、本発明の携帯用の電子機器に用いる液晶表示装置の色度座標のｘ値、ｙ値等を高速かつ高精度で計算できた。この４×４マトリックス法は数値計算により実験結果を見事に再現できる手法として知られている。本発明の実施例について実験結果と対比した結果は有効精度内でほぼ一致することが確認できた。
【００９３】
実際のＬＣＤには或る有限の透過率と波長特性を持つＩＴＯや、ガラス基板や、ギャップ制御用のスペーサなどがある。それらの影響を考慮すると、計算された透過率−印加電圧特性は実測結果をよく再現している。また、色度の計算結果についても、実測結果と良く一致しており、この４×４マトリックス法による計算は実験を代替できる。
【００９４】
本発明の携帯用の電子機器に用いる液晶表示装置の基本構成を図１に示す。吸収軸１８を有する偏光板１と反射層８の間に第１の液晶層６と位相差板３を備え、駆動回路１０から３値以上の電圧値が選択されて第１の液晶層６にマルチプレックス駆動によって印加され、吸収軸１８、第１の液晶セルの第１の配向方向１４および第２の配向方向１５、第２の液晶層の第１の配向方向１６および第２の配向方向１７の間のそれぞれの交差角θ1 、θ2 、θ3 、θ4 を所定角度に設定してある。角度の関係を平面的に図８に示す。なお、本発明で定義する角度の表示は回転方向を含むものとし、偏光板側から見た場合を示し、プラスの角度は時計回り、マイナスの角度は反時計回りを指す。
【００９５】
こうして形成された液晶表示装置に電圧を加えると、図５に示すような色変化および図６に示す反射率・電圧特性が得られる。駆動する電圧レベルにより色の発色が変化するので、色の選択は階調電圧レベルを選択することにより行う。
【００９６】
電圧を階調駆動する方法としては、フレーム階調、振幅階調、パルス幅階調など種々の方法が公知である。液晶に印加される実効電圧の大きさを変化させられる手法であれば、どんな方法でもよい。現在一般に用いられているのは、フレーム階調であるがこの手法を用いても良好な表示が得られている。また、疑似階調を用いてもよい。
【００９７】
また、複数の行電極を同時に選択する駆動法（一例を挙げると高速応答性の液晶に対し、複数の行電極を同時選択し、選択パルスを分散させることにより緩和を防止して、高コントラストの表示を得る高速表示のための駆動技術である。マルチラインセレクション法などと呼ばれる、例えば、米国特許第５２６２８８１号明細書に示された駆動方法）も採用できる。
【００９８】
これにより高速の表示であっても、反射型カラー表示を行う場合に、コントラストを落さずに明るいカラー表示が得られる。低消費電力化された液晶表示装置、もしくは高速表示用の液晶材料を用いても色純度を低下させずに動画対応可能な反射型カラー液晶表示装置を提供できる。
【００９９】
また、マルチプレックス駆動を用いるためには、電圧に対する光学的変化を大きくする必要がある。本発明において、それを実現するために以下の点について配慮しなければならない。
【０１００】
まず、最初に、液晶のねじれ角を大きくすることである。これはシェーファー（Scheffer）らによって指摘されていたことである。これにより、電圧に対する液晶分子の変化を大きくすることができ、電圧に対する光学的変化を大きくすることが可能となった。
【０１０１】
次に、反射層が配置されている側の偏光板をなくしたことである。電圧に対する液晶層のΔｎ・ｄ変化は同じでも光は同じ光路をもう一度通るので、実質的なΔｎ・ｄの変化は２倍変化したものと考えることができる。つまり光学的変化が大きくなることとなる。
【０１０２】
従来、反射層は、偏光板の外側に配置しなければならなかったが、この構成では反射層側に偏光板がないのでその必要はない。量産に用いられている偏光板は、高温高湿環境に置かれると、耐久性が低くなるので基板の液晶側に偏光板を配置することは、実用上の信頼性に問題がある。よって偏光板は基板の外側（反液晶セル側）に配置されるため、反射層は当然基板の外側に配置される。
【０１０３】
このとき、反射層が液晶から基板の厚み分、離れているため、透過（白）背景で非透過（黒）表示を行う反射型液晶表示装置を見ると、黒表示の影が観察される。これは、黒表示したいところは明るくなり、白表示したいところは暗くなるため、視認性が大きく減少する。
【０１０４】
さらに、液晶から反射層までの距離が短ければ短いほど、視認性は向上する。基板の液晶側に反射層が配置されればよい。例えば、基板の液晶側に反射層を配置し、その上に電極を配置すればよい。
【０１０５】
具体的には、ガラス基板の表面を凹凸にしＡｌの薄膜を形成し反射層とし、その上に絶縁膜を形成し、その上にＩＴＯの膜を形成し、所望のパターンにＩＴＯをパターニングをする。この上にさらに絶縁膜、配向膜を形成し、その上に液晶層となる。
【０１０６】
また、ＩＴＯの電極の代わりに、Ａｌ等の反射特性を持つ材料を電極に用いてもよい。Ａｌ以外に、Ａｇ、Ｃｒ、Ｎｉ、Ａｕ、Ｗなどの金属が考えられる。反射率から考えると銀が最も望ましいが、量産性やコストとの兼ね合いで材料を選択すればよい。
【０１０７】
本発明の携帯用の電子機器は、光が液晶セルを２度通過して発色するため、液晶セルから反射板までの距離がより短いことが、色純度のより良好な表示となる。
【０１０８】
液晶セルから反射板までの距離を短くする方法としては、例えば反射板側の基板の厚みを薄くする方法がある。通常基板として用いられているガラス基板の厚みは１．１ｍｍや０．７ｍｍが多い。このガラス基板を０．４ｍｍ厚のガラス基板に変更するとよい。さらに薄い０．３ｍｍや０．１ｍｍ以下のガラス基板を用いるとさらによい。０．４ｍｍ以下の厚みのガラスで、大きなサイズの液晶表示装置を作ると、ガラス基板は割れやすく、使用上または製造上問題となる。その対策としては、反射板側の基板の厚みを０．４ｍｍ以下とし、偏光板側の基板の厚みを０．４ｍｍ以上とする。これにより、ガラス基板が割れにくくなり、使用上または製造上有益である。
【０１０９】
ガラス基板の代わりにポリカーボネートやアクリル樹脂などのプラスチックを用いると、薄く軽く割れにくい携帯用の電子機器に用いる液晶表示装置ができる。また、液晶セルと反射板の距離を短くする方法として、反射板を液晶セルの基板の液晶側に作成すれば、液晶と反射板の距離は更に短くなるので、色純度は改善される。
【０１１０】
ガラス基板表面に凹凸を形成するには、例えば、ガラス基板の表面をフッ酸等でエッチングすることにより凹凸にする。またはガラス表面に数μｍ〜数１０μｍの径を持つ粒子を配置させることにより、表面に凹凸を形成するなどの方法がある。反射板の凹凸は、１０〜２０μｍピッチでピークからピークまでの凹凸が１〜２μｍ程度にするのが、反射輝度が高く見栄えがよい。
【０１１１】
そして、凹凸の表面に蒸着またはスパッタ等でＡｌの薄膜を形成し反射層とする。Ａｌ以外に、Ａｇ、Ｃｒ、Ｎｉ、Ａｕ、Ｗなどを用いてもよい。Ａｌの上に凹凸を平坦化する平坦化膜または絶縁膜を形成する。さらにその上に透明電極を形成し、所望のパターンにパターニングする。また、電極に反射板としての機能を持たせてもよい。
【０１１２】
電極を反射層にした場合、例えばストライプ状にパターニングした場合、線間は反射されない状態となる。線間に入った光は反射に利用されないことになる。これでは暗い状態となってしまうので、基板の外側（反液晶セル側）に反射層をさらに配置してもよい。
【０１１３】
本発明は、カラーフィルタを用いずに、マルチプレックス駆動が可能で、非選択波形のときに明るい白表示が可能である。選択波形または選択波形と非選択波形の中間の電圧を印加したときに、青または緑または赤の発色が可能とすることである。
【０１１４】
言い換えれば、電圧を印加されないとき、または電圧が低いときに、ほぼ無彩色表示ができ、かつ電圧を印加してカラー表示を実現できる携帯用の電子機器が得られる。
【０１１５】
なお、本発明に用いる液晶表示装置は偏光板を１枚しか用いていないため、明るい表示が可能である。よって、バックライトが無くても非常に明るい携帯用の電子機器が得られる。バックライトを設ける必要がないので、低消費電力化でき、特に携帯用に適する。また、液晶表示装置の厚みを相対的に薄くできる。
【０１１６】
特に、電極を反射層として用いると、影の発生、色の濁り等が発生せず視認性の極めて高い表示が可能となる。この際、反射層の材料として銀を用いるとその高い反射能と合わせてより明るいカラー表示が得られる。
【０１１７】
次に、フレーム階調について詳細に説明する。本発明に用いるマルチプレックス駆動において、表示画素（オン画素）を作るための波形をオン波形、非表示画素（オフ画素）を作るための波形をオフ波形と呼ぶ。
【０１１８】
まず、デューティ比やバイアス電圧によって、オン波形、オフ波形の形状やオン波形とオフ波形の印加実効電圧比が決定される。オン波形、オフ波形の１フレームでの印加実効電圧をそれぞれＶON、ＶOFF とする。例えば、最適バイアス法を用いると、１／２００デューティの場合、ＶON／ＶOFF ＝１．０７であり、１／１２８デューティのとき、ＶON／ＶOFF ＝１．０９であり、１／６４デューティのとき、ＶON／ＶOFF ＝１．１３であり、１／３２デューティのとき、ＶON／ＶOFF ＝１．２０であり、１／１６デューティのとき、ＶON／ＶOFF ＝１．２９である。
【０１１９】
通常、表示画素はＶONの実効電圧が印加され、非表示画素はＶOFF の実効電圧が印加されるだけである。つまり、ＶONとＶOFF の中間の実効電圧を印加できない。
【０１２０】
しかし、今、仮に７フレームのうちで、１回オン波形のフレームを印加し、６回オフ波形のフレームを印加するように設定すると、画素には、１フレームに対して（ＶON＋ＶOFF ×６）／７の平均実効電圧が印加されることとなる。つまり、ＶONとＶOFF の中間の実効電圧が印加可能となることを意味する。７フレームの中で、３回オン波形のフレームを印加し、４回オフ波形のフレームを印加するように設定すると、画素には、１フレームに対して（ＶON×３＋ＶOFF ×４）／７の平均実効電圧が印加されることとなる。
【０１２１】
このような手法によれば、７フレームを用いることにより、８階調の実効電圧レベルが可能となる。図１を参照し、より詳細に説明する。図１では第１の液晶層６を挟持する電極（図示を省略している）間に駆動回路１０からフレーム変調の駆動波形を供給する。
【０１２２】
駆動波形において、縦軸が電圧値、横軸が時間である。Ｖ３、Ｖ２、Ｖ１は基準０Ｖからの電圧値を示し、Ｔ１、Ｔ２、Ｔ３は時間幅を示す。マルチプレックス駆動により、１画素に印加される波形は、例えば１／２００デユーティ、１／１５バイアスで駆動したときに、表示画素に印加されるオン波形は（ａ）のように、非表示画素に印加されるオフ波形は（ｂ）のようになる。
【０１２３】
１／２００デューティで１／１５バイアスのとき、Ｖ３：Ｖ２：Ｖ１＝１５：１３：１であり、（Ｔ１＋Ｔ２＋Ｔ３）：Ｔ２＝２００：１である。ここで、（Ｔ１＋Ｔ２＋Ｔ３）を１フレームと呼ぶ。Ｔ２は走査時を表し、Ｔ１とＴ３は非走査時を表す。Ｖ１は走査時の表示画素に印加される電圧の高さを、Ｖ２は走査時の非表示画素に印加される電圧の高さを、Ｖ３は非走査時に印加される電圧の高さを表す。
【０１２４】
（ａ）の１フレームで印加される実効電圧はＶONで表され、（ｂ）の１フレームで印加される実効電圧はＶOFF で表されるものとする。一般に、液晶に印加される電圧は交流化される。なぜなら、液晶にＤＣ電圧が印加されると液晶の分解が起こるためなどである。
【０１２５】
（ａ）は、１フレームの後に、反転させたフレームを印加させ交流化する方法を示す。このように、２フレーム毎で交流化すると低周波成分が増大するため、解決策としてライン反転駆動方式を採用するのが一般的である。１フレーム内でも、一定のライン数を駆動する毎に極性を変えていく方法である。以下、２フレーム毎で交流化することを考えると、８階調を行うのに１４フレームを必要とする。
【０１２６】
（ａ）に１４フレーム全てが走査時の電圧がＶ１または−Ｖ１の波形を表す。このとき印加される１フレームの平均実効電圧はＶONとなる。（ｂ）に１４フレーム全てが走査時の電圧がＶ２または−Ｖ２の波形を表す。このとき印加される１フレームの平均実効電圧はＶOFF となる。（ｃ）に１４フレーム中の６フレームだけがＶ１で８フレームがＶ２の波形を表す。
【０１２７】
このとき印加される１フレームの平均実効電圧は（ＶON×６＋ＶOFF ×８）／１４の値となる。（ｄ）に１４フレーム中の２フレームがＶ１で１２フレームがＶ２の波形を示す。このとき印加される１フレームの平均実効電圧は（ＶON×２＋ＶOFF ×１２）／１４となる。
【０１２８】
このように、オン波形のフレームとオフ波形のフレームが混ざって印加される場合を選択することにより、オン波形のみによる実効電圧とオフ波形のみによる実効電圧の間の実効電圧を選択できる。
【実施例】
【０１２９】
まずグループＡの例について説明する。
【０１３０】
（グループＡ）
（例Ａ１）
図２は本例を模式的に表した断面図である。図２において、偏光板１、第２の液晶セル４、第１の液晶セル６、および反射層８とが順に設けられている。第２の液晶セル４は、液晶層４Ｌ、第２の液晶セルの第１の基板４Ａ、第２の液晶セルの第２の基板４Ｄ、第２の液晶セルの第１の配向制御膜４Ｂ、第２の液晶セルの第２の配向制御膜４Ｃを有する。
【０１３１】
第１の液晶セル６は、液晶層６Ｌ、第１の液晶セルの第１の基板６Ａ、第１の液晶セルの第２の基板６Ｄ、第１の液晶セルの第１の電極６Ｅ（第１の基板６Ａ側）、第１の液晶セルの第１の配向制御膜６Ｂ、第１の液晶セルの第２の配向制御膜６Ｃ、第１の液晶セルの第２の電極６Ｆ（第２の基板６Ｄ側）、絶縁層６Ｅ、６Ｈなどを有する。また、図示を省略した駆動回路から第１の液晶セルの上下の電極（第１の電極６Ｅ、第２の電極６Ｆ）に駆動電圧が印加される。
【０１３２】
また、液晶セル６においては、液晶層６Ｌの周辺シール、電極と配向制御膜との間に配置される絶縁膜、遮光膜、引き出し電極端子、下地膜、保護膜、その他の通常の液晶セルに用いられる構成要素が備えられている。なお、液晶セルの詳細な構造の説明は省略している。次に、液晶セル６の形成について説明する。
【０１３３】
まず、透明電極（ＩＴＯ）の付いたガラス基板を、ＩＴＯをストライプ状にパターニングし、一方の電極である第１の電極６Ｂとし、その上に、ＴｉＯ2 とＳｉＯ2 の薄膜を作製し、絶縁膜を形成し、ポリイミドの薄膜を形成し、布によりラビングすることにより、第１の配向膜制御６Ｂを形成した。この基板および同様に形成したもう１枚の基板とをストライプ状の電極が交差するように２枚重ね合わせ、その中に液晶材料を入れ、端辺をシール材で固定することにより、第１の液晶セルを形成した。
【０１３４】
同様に、ガラス基板にポリイミドの薄膜を形成し、布によりラビングすることにより、配向制御膜４Ｂを形成した。この基板を重ね合わせ、その中に液晶材料を入れ、端辺をシール材で固定することにより、第２の液晶セル４を形成した。図２において偏光板側を上側、反射層側を下側と定義する。
【０１３５】
図４において、第１の液晶セルの上側の液晶分子の配向方向を１４、第１の液晶セルの下側の液晶分子の配向方向を１５、第２の液晶セルの上側の液晶分子の配向方向を１６、第２の液晶セルの下側の液晶分子の配向方向を１７、偏光板の吸収軸を１８とする。また、図４において、液晶分子の配向方向を示す矢印の方向（ＤLC）は、基板面（配向制御膜）に対して液晶分子が傾いている矢印方向を示すものとする。
【０１３６】
また、第１の液晶セルの上側の液晶分子の配向方向１４から第１の液晶セルの下側の液晶分子の配向方向１５までの液晶ねじれ角を反時計回りにθ1 、第２の液晶セルの上側の液晶分子の配向方向１６から第２の液晶セルの下側の液晶分子の配向方向１７までの液晶ねじれ角を時計回りにθ2 とする。
【０１３７】
また偏光板の吸収軸１８から第２の液晶セルの上側の液晶分子の配向方向１６までの時計回りの角度をθ4 とし、第２の液晶セルの下側の液晶分子の配向方向１７と第１の液晶セルの上側の液晶分子の配向方向１４までの時計回りの角度をθ3 とする。
【０１３８】
また、本例では、第１の液晶セルを左螺旋、第２の液晶セルを右螺旋としたが、螺旋がそれぞれ逆であっても第１の液晶セルや第２の液晶セルの液晶分子の配向方向、偏光板の吸収軸方向との関係θ1 、θ2 、θ3 、θ4 の回転方向を逆にすることにより、上記の例と同様に容易にカラー表示が得られる。基本的にθ1 とθ2 との間には互換性がある。
【０１３９】
そして、第１の液晶セルの屈折率異方性Δｎ1 と液晶層の厚みｄ1 を調整し液晶層のΔｎ1 ・ｄ1 をほぼ０．９５μｍとした。第２の液晶セルの屈折率異方性Δｎ2 と液晶層の厚みｄ2 を調整し液晶層のΔｎ2 ・ｄ2 もほぼ０．９５μｍとした。そして、θ1 ＝−１８０°、θ2 ＝１８０°、θ3 ＝１１０°、θ4 ＝４５゜と設定した。
【０１４０】
図５の発色状態を示す色度図（ＣＩＥ  １９３１色度図の部分拡大図）に示すように印加される実効電圧の増大にともない、明るい白から、赤、青、緑の表示が得られた。パルス状階調電圧を印加することで発色が得られた。充分に視認できる良好な色純度を有するカラー液晶表示が達成できた。
【０１４１】
この液晶表示素子を、１／３２デューティで８階調駆動することにより、０／７レベルで白表示、３／７レベルで赤表示、５／７レベルで青表示、７／７レベルで緑表示が得られた。もちろん、スタティック駆動も可能である。なお、この色度は開口率約８０％のドットマトリックス型表示素子の画素のない線間の部分のノイズを含んだものであって、実際に視認される色にほぼ近い。
【０１４２】
表示画面の大きさとしては６４×６４ドットの表示を行った。本例の液晶表示装置を用いてグラフの表示を行った。背景色が白であって、棒グラフを赤、青、緑の３色表示とした。そのため視認性がきわめて向上した。
【０１４３】
また、日程管理を表す場合に、重要な会議を赤表示として注意を促すことができた。また、カレンダーの表示を行う際には、土曜日と日曜日を赤表示とし、平日を青表示とし、今日の曜日を緑表示とした。この場合も背景色は白とした。
【０１４４】
また、文章の表示を行った。背景色は同様に白として、文字を青表示とし、文中の或るブロックについて赤表示としてマーキングとした。表題は緑色表示とし、アンダーラインを緑または赤で表示した。
【０１４５】
また、グラフィック表示は、白と赤と青と緑とを用い、中間電圧を多用することにより、白っぽい赤、紫、青緑を用いて、人間の顔を表現したり、景色をカラー表示することができた。
【０１４６】
このように本例において、単純な白黒表示に比較すると明るく、また表示において視認性が改善され、さらに、作業性のよい環境を提供できた。
【０１４７】
（例Ａ２）
例Ａ１の第２の液晶セルの代わりにほぼ同じ構成のねじれ位相差板を用いた。図３にその構成を示す。偏光板１、ねじれ位相差板５、第１の液晶セル（液晶層６Ｌ）、反射層８とを設けた。この例Ａ２の実験結果は、例Ａ１とほぼ同じ効果が得られた。
【０１４８】
例Ａ１がガラス基板を用いて第２の液晶セルを形成したのに対し、本例の位相差板はフイルムのみで作製されているので軽く、使用上携帯用途に適する。
【０１４９】
（例Ａ３）
例Ａ１の第１の液晶セルの下側に張り付けた反射層の代わりに、下側の電極を反射層と兼用とした。具体的には、基板として用いられるガラス基板を、片側のみ露出させＨＦ（フッ酸）につけて、ガラス表面を凹凸にし、その上にＡｌの蒸着を行う。その後、パターニングを行い、ストライプ状の電極を作製する。
【０１５０】
さらに、その上にＳｉＯ2 とＴｉＯ2 の絶縁膜を作製し、その上にポリイミドの配向制御膜を作製した。この基板と、ＩＴＯの透明電極がストライプ状にパターニングされたものを、スペーサを介して重ね合わせ、周辺にシール材により固定し、液晶を注入し、第１の液晶セルを形成した。
【０１５１】
電圧に対する発色等は、ほぼ例Ａ１と同等の効果が得られた。さらに、電極と反射層を兼用にすることにより、影の発生がほとんどないので見やすく、色純度のよい表示が可能となった。この例Ａ３において、Ａｌの代わりにＡｇを用いて蒸着しても、同様の効果が得られた。
【０１５２】
（例Ａ４）
例Ａ３と同じ構成において、第１の液晶セルの下側にさらに反射層を貼って構成した。このようにして、電極と反射層とを兼用にすると、電極のパターニングにより除去された電極部からは反射がなくなり暗くなるが、本例の構成とすれば、パターニングによって反射が無くなった部分からも基板の下側の反射層から反射が起きることにより明るい反射型の表示が得られた。
【０１５３】
（例Ａ５）
例Ａ３の反射層兼用電極を次のように作製した。基板として用いられるガラス基板上に、半径が数μｍの球状のガラスを付着させ、ガラス表面を凸凹にし、その上にＡｌの蒸着を行う。
【０１５４】
その後、パターニングを行い、ストライプ状の電極を作製する。さらに、その上にＳｉＯ2 とＴｉＯ2 の絶縁膜を作製し、その上にポリイミドの配向制御膜を作製した。この基板と、ＩＴＯの透明絶縁膜がストライプ状にパターニングされたものを、スペーサを介して重ね合わせ、周辺にシール材により固定し、液晶を注入し、第１の液晶セルを作製した。これにより、前述した各例と同様に、影の発生がほとんど無く、色純度の良好な表示が可能となった。
【０１５５】
また、半径が数μｍの球状のガラスを付着させただけであると、表面の凹凸が大きいので、レベリング材により表面の凸凹を小さくすることにより、ギャップコントロールが簡単になり、色純度の良い表示を得ることが可能となった。
【０１５６】
（例Ａ６）
例Ａ３の反射層兼用電極を次のように形成した。基板として用いられるガラス基板上には、鏡面状のＡｌの電極を作製し、パターニングを行い、ストライプ状の電極を作製する。さらに、その上にＳｉＯ2 とＴｉＯ2 の絶縁膜を作製し、その上にポリイミドの配向膜を作製した。
【０１５７】
この基板と、ＩＴＯの透明絶縁膜がストライプ状にパターニングされたものを、スペーサを介して重ね合わせ、周辺をシール材により固定し、液晶を注入し、第１の液晶セルを作製した。このように反射層が鏡面として作用するときは、特定の角度で入射した光しか利用されない。
【０１５８】
特定の方向から見た場合には良好な表示が得られるが、若干角度が変化すると急激に表示が悪くなる。そのため、観察者側に拡散板をおいたり、プリズムアレイをおいたり、レンチキュラーレンズを置くことにより、視角の広い表示が得られた。
【０１５９】
（例Ａ７）
第１の液晶セルの屈折率異方性Δｎ1 と液晶層の厚みｄ1 を調整し、液晶層のΔｎ1 ・ｄ1 をほぼ０．８５μｍとした。同様に、第２の液晶セルの屈折率異方性Δｎ2 と液晶層の厚みｄ2 を調整し、液晶層のΔｎ2 ・ｄ2 をほぼ０．８５μｍとした。
【０１６０】
θ1 ＝−２４０°、θ2 ＝２４０°、θ3 ＝１１０°、θ4 ＝４５°と設定した。１／２００デューティ、８階調のマルチプレックス駆動と同等の駆動波形で表示を行った。０／７で白表示、３／７で赤表示、５／７で青表示、７／７で緑表示を行うことができた。
【０１６１】
しかし、色の純度は例Ａ１のものに比較して相対的に淡く、充分鮮明なカラー表示は得られなかった。しかし、背景色に淡い地色が好まれるような表示に充分用いることができた。例えば、うすいピンク色の表示を提供できた。また、本例の液晶セルは従来の白黒ＳＴＮ液晶表示素子の製造工程を用いて素子形成を行いうるので好ましい。
【０１６２】
さらに本発明を用いた別の例について説明する。ＰＤＡ（パーソナルデジタルアシスタント）に、上記の例Ａ１〜Ａ７の液晶表示装置を用いた。従来、カラー表示をする表示装置は、カラーフィルタを用いたＴＦＴ−ＬＣＤやＳＴＮ−ＬＣＤしかなかった。しかし、カラーフィルタを用いた液晶表示装置は透過率が低いため、反射型としては使えず、バックライトを必要とする。バックライトは消費電力が大きく、携帯用の端末としては、長時間使用ができない。バックライトを用いた液晶表示装置は、約２Ｗの消費電力である。
【０１６３】
ＰＤＡの表示部として、この液晶表示装置を用いると、消費電力は約０．５Ｗであった。そのため、カラー表示を行った場合でも、長時間使用が可能となった。また、従来の偏光板を２枚用いたタイプよりも、偏光板を１枚しか使用していないため、明るい表示が可能となった。
【０１６４】
（グループＢ）
次に本発明に関するグループＢの例を説明する。角度θ1 とθ2 はおよそ２４０°に設定される。その概要を表１に示す。基本的な構成とその製造方法は上述した例Ａ１〜Ａ７と同様である。
【０１６５】
θ3 とθ4 がある関係を満たすと、明るく色純度の良い発色を得ることができる。その関係を図９に示す。斜線で囲まれる範囲が良い発色が得られるところである。
【０１６６】
図９には、６つの斜線部が示されている。これらは、横軸（θ4 ）、縦軸（θ3 ）の座標位置が、ほぼ（１０°，１１０°）を中心としてほぼ５〜１０°に相当する長さの直径を有する円と、ほぼ（６０°，１１０°）を中心としてほぼ１０°に相当する長さの直径を有する円と、座標位置がほぼ（２５°，９５°）および（１１５°，９５°）を中心としてほぼ２５〜３０°に相当する長さの直径を有する円と、座標位置がほぼ（５０°，１１５°）および（１４０°，１１５°）を中心としてほぼ３０°に相当する長さの長径とほぼ１５〜２０°に相当する長さの短径を有する縦長の楕円の領域である。
【０１６７】
また、液晶セルのΔｎ1 ・ｄ1 とねじれ位相差板のΔｎ2 ・ｄ2 がある関係を満たすと、明るく色純度の良い発色を得ることができる。その関係を図１０に示す。斜線で囲まれる範囲が良い発色を得られるところである。
【０１６８】
図１０には、５つの斜線部が示されている。これらは、横軸（Δｎ2 ・ｄ2 ）、縦軸（Δｎ1 ・ｄ1 ）の座標位置が（０．６，１．１）、（０．９，１．０５）を中心としてほぼ０．０５μｍに相当する長さの直径を有する円と、座標位置がほぼ（０．７５，１．３５）を中心として約０．３μｍに相当する長径と約０．２μｍに相当する短径を有する縦長の楕円と、座標位置がほぼ（０．８５〜０．９，０．８５〜０．９）を中心とし長径が４５°右上りで約０．１５μｍ、短径が約０．１μｍの楕円、および座標位置がほぼ（１．３，１．２５）を中心とし長径が４５°右上りで約０．２〜０．２５μｍ、短径が約０．１μｍの楕円の領域である。
【０１６９】
図１１〜図１７に例Ｂ１〜Ｂ７、図４２〜図４４に例Ｂ８〜Ｂ１０の発色ループを示す色度座標と印加電圧と反射率との関係を示すグラフをそれぞれ示す。表４、表５（例Ｂ８）、表６、表７（例Ｂ９）、表８、表９（例Ｂ１０）にコンピュータシミュレーションによる印加電圧（Ｖ）と透過率（％）、および色データ（Ｘ−Ｙ座標値）を示す。
【０１７０】
図１８は公知例の発色を示す。図１９は比較例Ｂ０の場合を示す。グループＡの中で、例Ｂ８、Ｂ９、Ｂ１０は色の純度が特によく、かつ明るい表示が可能となり、表示素子として視認性にすぐれており、種々の応用に供しうる。
【０１７１】
（グループＣ）
次に本発明に関するグループＣの例を説明する。角度θ1 とθ2 はおよそ１８０°に設定される。その概要を表２に示す。基本的な構成とその製造方法は上述した例Ａ１〜Ａ７と同様である。
【０１７２】
θ3 とθ4 がある関係を満たすと、明るく色純度のよい発色が得られる。その関係を図２０に示す。斜線で囲まれる範囲がよい発色が得られるところである。格子で囲まれる範囲（斜線が重なった範囲）が、さらによい発色が得られるところである。
【０１７３】
図２０には、４つの斜線部が示されている。これらは、横軸（θ4 ）、縦軸（θ3 ）の座標系において、中心座標がほぼ（２０°，９０°）および（１１０°，９０°）で直径が約１０°に相当する２つのほぼ円形の範囲と、縦軸が約８０〜１２５°で、横軸が約３５〜７０°、および約１２５〜１６０°の２つの矩形領域におさまる形状の範囲である。特に発色のよい領域は、縦軸が約９５〜１１０°で、横軸が約４５〜６５°、および約１３５〜１５５°の２つの矩形領域内におさまる範囲である。
【０１７４】
また、液晶セルのΔｎ1 ・ｄ1 とねじれ位相差板のΔｎ2 ・ｄ2 がある関係を満たすと、明るく色純度のよい発色が得られる。その関係を図２１に示す。斜線で囲まれる範囲がよい発色を得られるところである。
【０１７５】
図２１には、２つの斜線部が示されている。これらは、横軸（Δｎ2 ・ｄ2 ），縦軸（Δｎ1 ・ｄ1 ）の座標系において、中心座標がほぼ（０．８５，１．０）で、直径約０．１μｍのほぼ円形の小領域と、縦軸が約０．９〜１．４５で、横軸が約０．９〜１．３５の矩形内におさまる斜め右上りの楕円体またはそれに近い形状の範囲である。
【０１７６】
図２２〜図２７に例Ｃ１〜Ｃ６の発色ループを示す色度座標と印加電圧と反射率との関係を示すグラフをそれぞれ示す。
【０１７７】
（グループＤ）
次に本発明に関するグループＤの例を説明する。角度θ1 とθ2 はおよそ２４０°に設定される。その概要を表３に示す。基本的な構成とその製造方法は上述した例Ａ１〜Ａ７と同様である。
【０１７８】
θ1 が２４０°ツイストで、Δｎ2 ・ｄ2 が０．８４５μｍのとき、ねじれ位相差板のねじれ角θ2 と液晶セルのΔｎ1 ・ｄ1 が、ある関係を満たすと、明るく色純度のよい発色が得られる。その関係を図２８に示す。斜線で囲まれる範囲がよい発色が得られるところである。
【０１７９】
図２８には、３つの斜線部が示されている。これらは、横軸（θ2 ）、縦軸（Δｎ1 ・ｄ1 ）の座標位置が、ほぼ（１００°，１．１μｍ）を中心とする長辺約０．４５、短辺４０°の長さに相当する縦長の矩形内におさまる略とっくり形状の範囲と、中心座標がほぼ（１９０°，１．３５μｍ）で長径約８０°、短径約０．３μｍの長さに相当する横長の矩形内におさまる略楕円形状の範囲と、中心座標がほぼ（２４０°，０．９μｍ）で長辺約３０°、短辺約０．２μｍの長さに相当する横長の矩形内におさまる略楕円形状の範囲である。
【０１８０】
θ1 が２４０°ツイストで、Δｎ2 ・ｄ2 が０．８４５μｍのとき、θ3 とθ4 が、ある関係を満たすと、明るく色純度のよい発色が得られる。その関係を図２９に示す。斜線で囲まれる範囲がよい発色が得られるところである。
【０１８１】
図２９には、７つの斜線部が示されている。これらは、横軸（θ4 ）、縦軸（θ3 ）の座標系で、中心座標がほぼ（１０°，１０５°）で、長辺約２０°、短辺約１０°に相当する縦長の矩形内におさまる略楕円形状の範囲と、中心座標がほぼ（４０°，１０５°）で、縦約３０°、横約３０°の矩形内におさまる斜め右上がりの長体形状の範囲と、中心座標がほぼ（８５°，１０５°）で、縦約２０〜２５°、横約２５〜３０°の矩形内におさまる左上がりの変形楕円形状の範囲と、中心座標がほぼ（１３０°，１０５°）で、縦約３０°、横約３０°の矩形内におさまる斜め右上がりの長体形状の範囲と、中心座標がほぼ（１７０°，１０５〜１１０°）で、縦約２０°、横約１５°の矩形内におさまる略縦長の楕円形状の範囲と、中心座標がほぼ（５５°，５０°）で、縦約１５°、横約２０°の矩形内におさまる横長の略楕円形状の範囲と、中心座標がほぼ（１５０°，５０°）で、縦約１５°、横約１５°の矩形内におさまる略円形の範囲である。
【０１８２】
θ1 が２４０°ツイストで、Δｎ2 ・ｄ2 が１．０４μｍのとき、ねじれ位相差板のねじれ角θ2 と液晶セルのΔｎ1 ・ｄ1 が、ある関係を満たすと、明るく色純度のよい発色が得られる。その関係を図３０に示す。斜線で囲まれる範囲がよい発色が得られるところである。
【０１８３】
図３０には、１つの斜線部が示されている。これは、横軸（θ2 ）、縦軸（Δｎ1 ・ｄ1 ）の座標系で、中心座標がほぼ（１７０〜１７５°，１．０５μｍ  ）で、縦約０．２５μｍ、横約２５°の矩形内におさまる縦長の変形楕円形状の範囲である。
【０１８４】
θ1 が２４０°ツイストで、Δｎ2 ・ｄ2 が１．０４μｍのとき、θ3 とθ4 が、ある関係を満たすと、明るく色純度のよい発色が得られる。その関係を図７に示す。斜線で囲まれる範囲がよい発色が得られるところである。
【０１８５】
図３１には、８つの斜線部が示されている。これらは、横軸（θ4 ）、縦軸（θ3 ）の座標系で、中心座標がほぼ（１０°，１１０°）で、縦約１０°、横約１０°の矩形内におさまる略円形の範囲と、中心座標がほぼ（３０°，１００〜１０５°）で、縦約１５°、横約１５°の矩形内におさまる略右上がりの楕円形状の範囲と、中心座標がほぼ（４０°，９０°）で、縦約２０°、横約２０°の矩形内におさまる円形に近い右上がりの略楕円形状の範囲と、中心座標がほぼ（７０°，８０°）で、縦約２０°、横約２０°の矩形内におさまる円形に近い右上がりの略楕円形状の範囲である。
【０１８６】
さらに、中心座標がほぼ（１００°，１１０°）で、縦約１５°、横約１５〜２０°の矩形内におさまるほぼ円形の範囲と、中心座標がほぼ（１２０°，１００°）で、縦約１０°、横約１０°の矩形内におさまる略円形の範囲と、中心座標がほぼ（１２５〜１３０°，９０°）で、縦約１５°、横約１０°の矩形内におさまる略縦長の楕円形状の範囲と、中心座標がほぼ（１５５°，８０°）で、縦約１５°、横約２０°の矩形内におさまる横長の変形楕円形状の範囲である。
【０１８７】
液晶セルのねじれ角θ1 は、１６０°〜３００°までよいが、特に２３０〜２５０°とされることがよい発色を得るには好ましい。特に、２４０°近傍が好ましい。
【０１８８】
ねじれ位相差板のねじれ角θ2 は、液晶セルのねじれ角θ1 より小さいことがよい。θ2 は各条件によって最適値が異なる。例えば、θ1 が２４０°ツイストで、Δｎ2 ・ｄ2 が０．８４５μｍのとき、θ2 は８０〜１２０°であることがよい。またθ1 が２４０°ツイストで、Δｎ2 ・ｄ2 が１．０４μｍのとき、θ2 は１６０〜１９０°であることがよい。
【０１８９】
図３２〜図４１に例Ｄ１〜Ｄ１０の発色ループを示す色度座標と印加電圧と反射率との関係を示すグラフをそれぞれ示す。
【０１９０】
以上説明したグループＢ〜Ｄの各例においては、マトリックスによって構成される画素のサイズは４００×４００μｍとした。また、反射層側の透明基板の厚みを０．４ｍｍとした。次に、反射を利用してカラー表示を得る本発明における画素サイズと透明基板の厚みについて説明する。
【０１９１】
図４５に本発明に用いる液晶表示装置の断面図と光路とを示す。図中のΦは実質的に良好な発色が視認できる開き角の範囲を示す。このΦは実用的な範囲で広い方が好ましい。本発明では少なくとも２０°の角度範囲が得られるようにする。また、図４６に透明基板（光の進行方向の後方に配置されたガラス基板などが用いられる）の厚みＴと画素の線幅と開き角Φとの関係を示す。
【０１９２】
この開き角Φの範囲内で良好な色表示を見ることができる。この開き角よりも大きな範囲では色純度が低下する傾向を示す。近似的に、（反射層側の透明基板の厚みＴ）≦１．４・（画素サイズ）の関係を満足すると良好な発色が得られる。より好ましくは、Ｔ≦１．２・（画素サイズ）とする。さらに、基板の厚みが薄い、Ｔ≦１．０・（画素サイズ）の条件下では高い色純度の表示が得られる。
【０１９３】
【表１】
2004287460.tif 000058
【０１９４】
【表２】
2004287460.tif 000059
【０１９５】
【表３】
2004287460.tif 000060
【０１９６】
【表４】
2004287460.tif 000061
【０１９７】
【表５】
2004287460.tif 000062
【０１９８】
【表６】
2004287460.tif 000063
【０１９９】
【表７】
2004287460.tif 000064
【０２００】
【表８】
2004287460.tif 000065
【０２０１】
【表９】
2004287460.tif 000066
【産業上の利用可能性】
【０２０２】
【０２０３】
特に、本発明は低消費電力で使用できることから、例えば、携帯電話、電子手帳、電子ブック、電子辞書、ＰＤＡ（携帯情報端末）、ページャー（ポケットベル）、携帯用パーソナルコンピュータなどに用いた場合に、その高い視認性、表現力と合わせて高い機能性を発揮する。さらに、本発明はその効果を損しない範囲で種々の応用ができる。例えば、視認性に優れるため、タッチパネルや視線制御による液晶装置などにも好ましく採用できる。
【図面の簡単な説明】
【０２０４】
【図１】本発明に用いる液晶表示装置の基本構成を示す模式図。
【図２】例Ａ１を模式的に表した断面図。
【図３】例Ａ２を模式的に表した断面図。
【図４】例Ａ１における偏光板の吸収軸、第１の液晶セルおよび第２の液晶セルの配向方向との角度関係を示した平面図。
【図５】例Ａ１の電圧に対する色変化を示す色度図。
【図６】例Ａ１の電圧に対する反射率を示すグラフ。
【図７】グループＢ、ＣおよびＤの例における断面を示す模式図。
【図８】グループＢ、ＣおよびＤの各例における角度関係を示す模式図。
【図９】発色のよいθ3 とθ4 の領域を示す模式図。
【図１０】発色のよいΔｎ1 ・ｄ1 とΔｎ2 ・ｄ2 の領域を示す模式図。
【図１１】分図１１ａは例Ｂ１の電圧に対する色変化を示す色度図、分図１１ｂは例Ｂ１の電圧に対する色変化を示すグラフ。
【図１２】分図１２ａは例Ｂ２の電圧に対する色変化を示す色度図、分図１２ｂは例Ｂ２の電圧に対する色変化を示すグラフ。
【図１３】分図１３ａは例Ｂ３の電圧に対する色変化を示す色度図、分図１３ｂは例Ｂ３の電圧に対する色変化を示すグラフ。
【図１４】分図１４ａは例Ｂ４の電圧に対する色変化を示す色度図、分図１４ｂは例Ｂ４の電圧に対する色変化を示すグラフ。
【図１５】分図１５ａは例Ｂ５の電圧に対する色変化を示す色度図、分図１５ｂは例Ｂ５の電圧に対する色変化を示すグラフ。
【図１６】分図１６ａは例Ｂ６の電圧に対する色変化を示す色度図、分図１６ｂは例Ｂ６の電圧に対する色変化を示すグラフ。
【図１７】分図１７ａは例Ｂ７の電圧に対する色変化を示す色度図、分図１７ｂは例Ｂ７の電圧に対する色変化を示すグラフ。
【図１８】公知例の発色ループを示す色度図。
【図１９】分図１９ａは比較例Ｂ０の電圧に対する色変化を示す色度図、分図１９ｂは比較例Ｂ０の電圧に対する色変化を示すグラフ。
【図２０】グループＣにおける発色のよいθ3 とθ4 の領域を示す模式図。
【図２１】グループＣにおける発色のよいΔｎ1 ・ｄ1 とΔｎ2 ・ｄ2 の領域を示す模式図。
【図２２】分図２２ａは例Ｃ１の電圧に対する色変化を示す色度図、分図２２ｂは例Ｃ１の電圧に対する色変化を示すグラフ。
【図２３】分図２３ａは例Ｃ２の電圧に対する色変化を示す色度図、分図２３ｂは例Ｃ２の電圧に対する色変化を示すグラフ。
【図２４】分図２４ａは例Ｃ３の電圧に対する色変化を示す色度図、分図２４ｂは例Ｃ３の電圧に対する色変化を示すグラフ。
【図２５】分図２５ａは例Ｃ４の電圧に対する色変化を示す色度図、分図２５ｂは例Ｃ４の電圧に対する色変化を示すグラフ。
【図２６】分図２６ａは例Ｃ５の電圧に対する色変化を示す色度図、分図２６ｂは例Ｃ５の電圧に対する色変化を示すグラフ。
【図２７】分図２７ａは例Ｃ６の電圧に対する色変化を示す色度図、分図２７ｂは例Ｃ６の電圧に対する色変化を示すグラフ。
【図２８】グループＤ（Δｎ2 ・ｄ2 ＝０．８４５ｕｍ）における発色のよいΔｎ1 ・ｄ1 とθ2 の領域を示す模式図。
【図２９】グループＤ（Δｎ2 ・ｄ2 ＝０．８４５ｕｍ）における発色のよいθ3 とθ4 の領域を示す模式図。
【図３０】グループＤ（Δｎ2 ・ｄ2 ＝１．０４ｕｍ）における発色のよいΔｎ1 ・ｄ1 とθ2 の領域を示す模式図。
【図３１】グループＤ（Δｎ2 ・ｄ2 ＝１．０４ｕｍ）における発色のよいθ3 とθ4 の領域を示す模式図。
【図３２】分図３２ａは例Ｄ１の電圧に対する色変化を示す色度図、分図３２ｂは例Ｄ１の電圧に対する色変化を示すグラフ。
【図３３】分図３３ａは例Ｄ２の電圧に対する色変化を示す色度図、分図３３ｂは例Ｄ２の電圧に対する色変化を示すグラフ。
【図３４】分図３４ａは例Ｄ３の電圧に対する色変化を示す色度図、分図３４ｂは例Ｄ３の電圧に対する色変化を示すグラフ。
【図３５】分図３５ａは例Ｄ４の電圧に対する色変化を示す色度図、分図３５ｂは例Ｄ４の電圧に対する色変化を示すグラフ。
【図３６】分図３６ａは例Ｄ５の電圧に対する色変化を示す色度図、分図３６ｂは例Ｄ５の電圧に対する色変化を示すグラフ。
【図３７】分図３７ａは例Ｄ６の電圧に対する色変化を示す色度図、分図３７ｂは例Ｄ６の電圧に対する色変化を示すグラフ。
【図３８】分図３８ａは例Ｄ７の電圧に対する色変化を示す色度図、分図３８ｂは例Ｄ７の電圧に対する色変化を示すグラフ。
【図３９】分図３９ａは例Ｄ８の電圧に対する色変化を示す色度図、分図３９ｂは例Ｄ８の電圧に対する色変化を示すグラフ。
【図４０】分図４０ａは例Ｄ９の電圧に対する色変化を示す色度図、分図４０ｂは例Ｄ９の電圧に対する色変化を示すグラフ。
【図４１】分図４１ａは例Ｄ１０の電圧に対する色変化を示す色度図、分図４１ｂは例Ｄ１０の電圧に対する色変化を示すグラフ。
【図４２】分図４２ａは例Ｂ８の電圧に対する色変化を示す色度図、分図４２ｂは例Ｂ８の電圧に対する色変化を示すグラフ。
【図４３】分図４３ａは例Ｂ９の電圧に対する色変化を示す色度図、分図４３ｂは例Ｂ９の電圧に対する色変化を示すグラフ。
【図４４】分図４４ａは例Ｂ１０の電圧に対する色変化を示す色度図、分図４４ｂは例Ｂ１０の電圧に対する色変化を示すグラフ。
【図４５】液晶セルの断面と光路を示す模式図。
【図４６】開き角Φと基板の厚みＴとの関係を示すグラフ。
【符号の説明】
【０２０５】
１：偏光板
３：位相差板
６：液晶層
８：反射層
１０：駆動回路
１４：第１の液晶セルの上側の液晶分子配向方向（第１の配向方向）
１５：第１の液晶セルの下側の液晶分子配向方向（第２の配向方向）
１６：位相差板（第２の液晶セル）の第１の光学異方軸
１７：位相差板（第２の液晶セル）の第２の光学異方軸
１８：偏光板の吸収軸